(57)【要約】開示されるのは、デバイス間の距離を測定することをサポートして、デバイス間でメッセージを交換するためのプロセス、デバイスおよびシステムである。１つの特定のインプリメンテーションでは、第１のワイヤレストランシーバデバイスは、第２のワイヤレストランシーバデバイスに１つまたは複数のファインタイミング測定（ＦＴＭ）メッセージを送信し、１つまたは複数のＦＴＭメッセージのうちの少なくとも１つの受信を確認応答するメッセージを受信しうる。第１のワイヤレストランシーバデバイスは、受信されたメッセージを、第２のワイヤレストランシーバデバイスから送信されたものとして認証しうる。【選択図】図４Ａ
2019513972.tif 000002
【特許請求の範囲】
【請求項１】
第１のワイヤレストランシーバデバイスにおいて、
第２のワイヤレストランシーバデバイスに宛てられた第１のファインタイミング測定（ＦＴＭ）メッセージを送信することと、
受信されたメッセージを、前記第２のワイヤレストランシーバデバイスによって送信されたものとして条件付きで認証し、前記第１のＦＴＭメッセージの受信を確認応答することと
を備える、方法。
【請求項２】
前記受信されたメッセージを、前記第２のワイヤレストランシーバデバイスによって送信されたものであり、前記第１のＦＴＭメッセージの受信を確認応答するものとして認証することに応答して、前記受信されたメッセージの到着時間を示す１つまたは複数のパラメータを備える、前記第２のワイヤレストランシーバデバイスに宛てられた第２のＦＴＭメッセージを送信すること
をさらに備える、請求項１に記載の方法。
【請求項３】
前記受信されたメッセージを、前記第２のワイヤレストランシーバデバイスによって送信されたものとして条件付きで認証し、前記第１のＦＴＭメッセージの受信を確認応答することは、ソースデバイスを示す前記受信されたメッセージ中の１つまたは複数のパラメータに少なくとも部分的に基づいて前記受信されたメッセージを認証することを備える、請求項１に記載の方法。
【請求項４】
前記１つまたは複数のパラメータは、前記第２のワイヤレストランシーバデバイスのＢＳＳＩＤを示す、請求項３に記載の方法。
【請求項５】
前記受信されたメッセージは、前記第１のＦＴＭメッセージが前記第２のワイヤレストランシーバデバイスにおいて受信された時間と、前記受信されたメッセージが前記第２のワイヤレストランシーバデバイスから送信された時間とを示す１つまたは複数のパラメータを備え、前記受信されたメッセージを、前記第２のワイヤレストランシーバデバイスによって送信されたものとして条件付きで認証し、前記第１のＦＴＭメッセージの受信を確認応答することは、前記受信されたメッセージの到着時間を、前記第１のＦＴＭメッセージが前記第２のワイヤレストランシーバデバイスにおいて受信された前記時間と、前記受信されたメッセージが前記第２のワイヤレストランシーバデバイスから送信された前記時間とを示す前記１つまたは複数のパラメータに少なくとも部分的に基づく値と比較することをさらに備える、請求項１に記載の方法。
【請求項６】
前記第１のＦＴＭメッセージは、第１のトークンを備えるＦＴＭ要求メッセージの前記第２のワイヤレストランシーバデバイスからの受信に応答して送信され、前記第１のＦＴＭメッセージは、第２のトークンを備え、前記受信されたメッセージは、第３のトークンを備え、前記受信されたメッセージを、前記第２のワイヤレストランシーバデバイスによって送信されたものとして条件付きで認証し、前記第１のＦＴＭメッセージの受信を確認応答することは、前記第３のトークンを、前記第１のトークンと前記第２のトークンとの関数として計算された値に対して比較することをさらに備える、請求項１に記載の方法。
【請求項７】
前記第２のワイヤレストランシーバデバイスに宛てられた第２のＦＴＭメッセージを送信することと、前記第２のＦＴＭメッセージは、第４のトークンを備える、
第５のトークンの、前記第１のトークンと前記第４のトークンとの関数として計算された値に対する比較に少なくとも部分的に基づいて、第２の受信されたメッセージの受信を、前記第２のワイヤレストランシーバデバイスによって送信されたものとして条件付きで認証し、前記第２のＦＴＭメッセージの受信を確認応答することと、前記第２の受信されたメッセージは、前記第５のトークンを備える、
をさらに備える、請求項６に記載の方法。
【請求項８】
前記第１のＦＴＭメッセージは、前記第２のワイヤレストランシーバデバイスから送信されたＦＴＭ要求メッセージの受信に応答して送信され、前記ＦＴＭ要求メッセージは、ＦＴＭメッセージの受信を確認応答するメッセージの認証を指定する値を「トリガ」フィールド中に備える、請求項１に記載の方法。
【請求項９】
第１のワイヤレス局（ＳＴＡ）であって、
通信ネットワークにメッセージを送信し、通信ネットワークからメッセージを受信するためのワイヤレストランシーバと、
前記ワイヤレストランシーバに結合されたプロセッサと、前記プロセッサは、
前記ワイヤレストランシーバを通じた第１のファインタイミング測定（ＦＴＭ）メッセージの送信を開始することと、前記第１のＦＴＭメッセージは、第２のＳＴＡに宛てられる、
前記ワイヤレストランシーバにおいて受信されたメッセージを、前記第２のＳＴＡによって送信されたものとして条件付きで認証し、前記第１のＦＴＭメッセージの受信を確認応答することと
を行うように構成される、
を備える、第１のＳＴＡ。
【請求項１０】
前記プロセッサは、
前記ワイヤレストランシーバにおいて受信された前記メッセージを、前記第２のＳＴＡによって送信されたものであり、前記第１のＦＴＭメッセージの受信を確認応答するものとして認証することに応答して、前記ワイヤレストランシーバにおいて受信された前記メッセージの到着時間を示す１つまたは複数のパラメータを備える、前記第２のＳＴＡに宛てられた第２のＦＴＭメッセージの前記ワイヤレストランシーバを通じた送信を開始すること
を行うようにさらに構成される、請求項９に記載の第１のＳＴＡ。
【請求項１１】
前記プロセッサは、ソースデバイスを示す、前記ワイヤレストランシーバにおいて受信された前記メッセージ中の１つまたは複数のパラメータに少なくとも部分的に基づいて、前記ワイヤレストランシーバにおいて受信された前記メッセージを認証することによって、前記ワイヤレストランシーバにおいて受信された前記メッセージを、前記第２のＳＴＡによって送信されたものとして条件付きで認証し、前記第１のＦＴＭメッセージの受信を確認応答するようにさらに構成される、請求項９に記載の第１のＳＴＡ。
【請求項１２】
前記１つまたは複数のパラメータは、前記第２のＳＴＡのＢＳＳＩＤを示す、請求項１１に記載の第１のＳＴＡ。
【請求項１３】
前記ワイヤレストランシーバにおいて受信された前記メッセージは、前記第１のＦＴＭメッセージが前記第２のＳＴＡにおいて受信された時間と、前記ワイヤレストランシーバにおいて受信された前記メッセージが前記第２のＳＴＡから送信された時間とを示す１つまたは複数のパラメータを備え、前記プロセッサは、前記ワイヤレストランシーバにおける前記メッセージの到着時間を、前記第１のＦＴＭメッセージが前記第２のＳＴＡにおいて受信された前記時間と、前記ワイヤレストランシーバにおいて受信された前記メッセージが前記第２のＳＴＡから送信された前記時間とを示す前記１つまたは複数のパラメータに少なくとも部分的に基づく値と比較することによって、前記ワイヤレストランシーバにおいて受信された前記メッセージを、前記第２のＳＴＡによって送信されたものとして条件付きで認証し、前記第１のＦＴＭメッセージの受信を確認応答するようにさらに構成される、請求項９に記載の第１のＳＴＡ。
【請求項１４】
前記第１のＦＴＭメッセージは、第１のトークンを備えるＦＴＭ要求メッセージの前記第２のＳＴＡからの受信に応答して送信され、前記第１のＦＴＭメッセージは、第２のトークンを備え、前記ワイヤレストランシーバにおいて受信された前記メッセージは、第３のトークンを備え、前記プロセッサは、前記第３のトークンを、前記第１のトークンと前記第２のトークンとの関数として計算された値に対して比較することによって、前記ワイヤレストランシーバにおいて受信された前記メッセージを、前記第２のＳＴＡによって送信されたものとして条件付きで認証し、前記第１のＦＴＭメッセージの受信を確認応答するようにさらに構成される、請求項９に記載の第１のＳＴＡ。
【請求項１５】
前記プロセッサは、
前記第２のＳＴＡに宛てられた第２のＦＴＭメッセージの送信を開始することと、前記第２のＦＴＭメッセージは、第４のトークンを備える、
第５のトークンの、前記第１のトークンと前記第４のトークンとの関数として計算された値に対する比較に少なくとも部分的に基づいて、第２の受信されたメッセージの受信を、前記第２のＳＴＡによって送信されたものとして条件付きで認証し、前記第２のＦＴＭメッセージの受信を確認応答することと、前記第２の受信されたメッセージは、前記第５のトークンを備える、
を行うようにさらに構成される、請求項１４に記載の第１のＳＴＡ。
【請求項１６】
前記第１のＦＴＭメッセージは、前記第２のＳＴＡから送信されたＦＴＭ要求メッセージの受信に応答して送信され、前記ＦＴＭ要求メッセージは、ＦＴＭメッセージの受信を確認応答するメッセージの認証を指定する値を「トリガ」フィールド中に備える、請求項９に記載の第１のＳＴＡ。
【請求項１７】
第１のワイヤレストランシーバデバイスであって、
第２のワイヤレストランシーバデバイスに宛てられた第１のファインタイミング測定（ＦＴＭ）メッセージを送信するための手段と、
受信されたメッセージを、前記第２のワイヤレストランシーバデバイスによって送信されたものとして条件付きで認証し、前記第１のＦＴＭメッセージの受信を確認応答するための手段と
を備える、第１のワイヤレストランシーバデバイス。
【請求項１８】
前記受信されたメッセージを、前記第２のワイヤレストランシーバデバイスによって送信されたものであり、前記第１のＦＴＭメッセージの受信を確認応答するものとして認証することに応答して、前記受信されたメッセージの到着時間を示す１つまたは複数のパラメータを備える、前記第２のワイヤレストランシーバデバイスに宛てられた第２のＦＴＭメッセージを送信するための手段
をさらに備える、請求項１７に記載の第１のワイヤレストランシーバデバイス。
【請求項１９】
前記受信されたメッセージを、前記第２のワイヤレストランシーバデバイスによって送信されたものとして条件付きで認証し、前記第１のＦＴＭメッセージの受信を確認応答するための前記手段は、ソースデバイスを示す前記受信されたメッセージ中の１つまたは複数のパラメータに少なくとも部分的に基づいて前記受信されたメッセージを認証するための手段を備える、請求項１７に記載の第１のワイヤレストランシーバデバイス。
【請求項２０】
前記１つまたは複数のパラメータは、前記第２のワイヤレストランシーバデバイスのＢＳＳＩＤを示す、請求項１９に記載の第１のワイヤレストランシーバデバイス。
【請求項２１】
前記受信されたメッセージは、前記第１のＦＴＭメッセージが前記第２のワイヤレストランシーバデバイスにおいて受信された時間と、前記受信されたメッセージが前記第２のワイヤレストランシーバデバイスから送信された時間とを示す１つまたは複数のパラメータを備え、前記受信されたメッセージを、前記第２のワイヤレストランシーバデバイスによって送信されたものとして条件付きで認証し、前記第１のＦＴＭメッセージの受信を確認応答するための前記手段は、前記受信されたメッセージの到着時間を、前記第１のＦＴＭメッセージが前記第２のワイヤレストランシーバデバイスにおいて受信された前記時間と、前記受信されたメッセージが前記第２のワイヤレストランシーバデバイスから送信された前記時間とを示す前記１つまたは複数のパラメータに少なくとも部分的に基づく値と比較するための手段をさらに備える、請求項１７に記載の第１のワイヤレストランシーバデバイス。
【請求項２２】
前記第１のＦＴＭメッセージは、第１のトークンを備えるＦＴＭ要求メッセージの前記第２のワイヤレストランシーバデバイスからの受信に応答して送信され、前記第１のＦＴＭメッセージは、第２のトークンを備え、前記受信されたメッセージは、第３のトークンを備え、前記受信されたメッセージを、前記第２のワイヤレストランシーバデバイスによって送信されたものとして条件付きで認証し、前記第１のＦＴＭメッセージの受信を確認応答するための前記手段は、前記第３のトークンを、前記第１のトークンと前記第２のトークンとの関数として計算された値に対して比較するための手段をさらに備える、請求項１７に記載の第１のワイヤレストランシーバデバイス。
【請求項２３】
前記第１のＦＴＭメッセージは、前記第２のワイヤレストランシーバデバイスから送信されたＦＴＭ要求メッセージの受信に応答して送信され、前記ＦＴＭ要求メッセージは、ＦＴＭメッセージの受信を確認応答するメッセージの認証を指定する値を「トリガ」フィールド中に備える、請求項１７に記載の第１のワイヤレストランシーバデバイス。
【請求項２４】
非一時的記憶媒体であって、
第１のファインタイミング測定（ＦＴＭ）メッセージの送信を開始することと、前記第１のＦＴＭメッセージは、第２のワイヤレストランシーバデバイスに宛てられる、
受信されたメッセージを、前記第２のワイヤレストランシーバデバイスによって送信されたものとして条件付きで認証し、前記第１のＦＴＭメッセージの受信を確認応答することと
を行うように第１のワイヤレストランシーバデバイスのプロセッサによって実行可能である記憶されたコンピュータ可読命令を備える、非一時的記憶媒体。
【請求項２５】
前記受信されたメッセージを、前記第２のワイヤレストランシーバデバイスによって送信されたものであり、前記第１のＦＴＭメッセージの受信を確認応答するものとして認証することに応答して、前記受信されたメッセージの到着時間を示す１つまたは複数のパラメータを備える、前記第２のワイヤレストランシーバデバイスに宛てられた第２のＦＴＭメッセージの送信を開始すること
を行うように前記プロセッサによって実行可能である命令をさらに備える、請求項２４に記載の記憶媒体。
【請求項２６】
ソースデバイスを示す前記受信されたメッセージ中の１つまたは複数のパラメータに少なくとも部分的に基づいて前記受信されたメッセージを認証することによって、前記受信されたメッセージを、前記第２のワイヤレストランシーバデバイスによって送信されたものとして条件付きで認証し、前記第１のＦＴＭメッセージの受信を確認応答することを行うように前記プロセッサによって実行可能である命令をさらに備える、請求項２４に記載の記憶媒体。
【請求項２７】
前記１つまたは複数のパラメータは、前記第２のワイヤレストランシーバデバイスのＢＳＳＩＤを示す、請求項２６に記載の記憶媒体。
【請求項２８】
前記受信されたメッセージは、前記第１のＦＴＭメッセージが前記第２のワイヤレストランシーバデバイスにおいて受信された時間と、前記受信されたメッセージが前記第２のワイヤレストランシーバデバイスから送信された時間とを示す１つまたは複数のパラメータを備え、前記命令は、前記受信されたメッセージの到着時間を、前記第１のＦＴＭメッセージが前記第２のワイヤレストランシーバデバイスにおいて受信された前記時間と、前記受信されたメッセージが前記第２のワイヤレストランシーバデバイスから送信された前記時間とを示す前記１つまたは複数のパラメータに少なくとも部分的に基づく値と比較することによって、前記受信されたメッセージを、前記第２のワイヤレストランシーバデバイスによって送信されたものとして条件付きで認証し、前記第１のＦＴＭメッセージの受信を確認応答することを行うように前記プロセッサによってさらに実行可能である、請求項２４に記載の記憶媒体。
【請求項２９】
前記第１のＦＴＭメッセージは、第１のトークンを備えるＦＴＭ要求メッセージの前記第２のワイヤレストランシーバデバイスからの受信に応答して送信され、前記第１のＦＴＭメッセージは、第２のトークンを備え、前記受信されたメッセージは、第３のトークンを備え、前記命令は、前記第３のトークンを、前記第１のトークンと前記第２のトークンとの関数として計算された値に対して比較することによって、前記受信されたメッセージを、前記第２のワイヤレストランシーバデバイスによって送信されたものとして条件付きで認証し、前記第１のＦＴＭメッセージの受信を確認応答することを行うように前記プロセッサによってさらに実行可能である、請求項２４に記載の記憶媒体。
【請求項３０】
前記第１のＦＴＭメッセージは、前記第２のワイヤレストランシーバデバイスから送信されたＦＴＭ要求メッセージの受信に応答して送信され、前記ＦＴＭ要求メッセージは、ＦＴＭメッセージの受信を確認応答するメッセージの認証を指定する値を「トリガ」フィールド中に備える、請求項２４に記載の記憶媒体。
【発明の詳細な説明】
【関連出願】
【０００１】
このＰＣＴ出願は、２０１６年２月５日に出願され、「METHODS AND SYSTEMS FOR A RANG-ING PROTOCOL」と題された米国仮特許出願第６２／２９２，１７２号と、２０１６年２月１２日に出願され、「METHODS AND SYSTEMS FOR A RANGING PROTOCOL」と題された米国仮特許出願第６２／２９４，８９０号と、「METHODS AND SYSTEMS FOR A RANGING PROTOCOL」と題され、２０１６年６月１７日に出願された米国非仮特許出願第１５／１８６，２９５号の利益および優先権を主張し、それらは、その全体が参照によってここに組み込まれる。
【技術分野】
【０００２】
[0001]ここに説明される実施形態は、モバイル送信機から捕捉された信号の測定値を取得することを対象としている。
【背景技術】
【０００３】
[0002]全地球測位システム（ＧＰＳ）のような衛星測位システム（ＳＰＳ）は、屋外環境中のモバイルハンドセットに対する航法サービスを可能にしてきた。同様に、屋内環境中のモバイルデバイスの位置の推定値を取得するための特定の技法は、住宅、政府または商業的会場のような特定の屋内会場中での強化されたロケーションベースのサービスを可能にしうる。例えば、固定されたロケーションに位置付けられたトランシーバとモバイルデバイスとの間の距離は、第１のデバイスから第２のデバイスへの第１のメッセージの送信と、第１のメッセージに応答して送信された第２のメッセージの第１のデバイスにおける受信との間で測定されたラウンドトリップタイム（ＲＴＴ）の測定値に少なくとも部分的に基づいて測定されうる。
【発明の概要】
【０００４】
[0003]簡潔に言うと、１つの特定のインプリメンテーションは、第２のワイヤレストランシーバデバイスに宛てられた第１のファインタイミング測定（ＦＴＭ：fine timing measurement）メッセージを送信することと、受信されたメッセージを、第２のワイヤレストランシーバデバイスによって送信されたものとして条件付きで認証し、第１のＦＴＭメッセージの受信を確認応答することとを備える、第１のワイヤレストランシーバデバイスにおける方法、を備える方法を対象としている。
【０００５】
[0004]別の特定のインプリメンテーションは、通信ネットワークにメッセージを送信し、通信ネットワークからメッセージを受信するためのワイヤレストランシーバと、ワイヤレストランシーバに結合されたプロセッサとを備える第１のワイヤレス局（ＳＴＡ）を対象としており、プロセッサは、ワイヤレストランシーバを通じた第１のファインタイミング測定（ＦＴＭ）メッセージの送信を開始することと、第１のＦＴＭメッセージは、第２のＳＴＡに宛てられ、ワイヤレストランシーバにおいて受信されたメッセージを、第２のＳＴＡによって送信されたものとして条件付きで認証し、第１のＦＴＭメッセージの受信を確認応答することとを行うように構成される。
【０００６】
[0005]別の特定のインプリメンテーションは、第２のワイヤレストランシーバデバイスに宛てられた第１のファインタイミング測定（ＦＴＭ）メッセージを送信するための手段と、受信されたメッセージを、第２のワイヤレストランシーバデバイスによって送信されたものとして条件付きで認証し、第１のＦＴＭメッセージの受信を確認応答するための手段とを備える第１のワイヤレストランシーバデバイスを対象としている。
【０００７】
[0006]別の特定のインプリメンテーションは、第１のファインタイミング測定（ＦＴＭ）メッセージの送信を開始することと、第１のＦＴＭメッセージは、第２のワイヤレストランシーバデバイスに宛てられ、受信されたメッセージを、第２のワイヤレストランシーバデバイスによって送信されたものとして条件付きで認証し、第１のＦＴＭメッセージの受信を確認応答することとを行うように第１のワイヤレストランシーバデバイスのプロセッサによって実行可能である記憶されたコンピュータ可読命令を備える非一時的記憶媒体を対象としている。
【０００８】
[0007]別の特定のインプリメンテーションは、第２のワイヤレストランシーバデバイスによって送信された第１のファインタイミング測定（ＦＴＭ）メッセージの受信を示す第１の確認応答メッセージを送信することと、第２のワイヤレストランシーバから第２のＦＴＭメッセージを受信することとを備える、第１のワイヤレストランシーバデバイスにおける方法を対象としており、第２のＦＴＭメッセージは、第２のワイヤレストランシーバデバイスにおける第１の確認応答メッセージの認証された受信の時間に少なくとも部分的に基づく１つまたは複数のパラメータを備える。
【０００９】
[0008]別の特定のインプリメンテーションは、通信ネットワークにメッセージを送信し、通信ネットワークからメッセージを受信するためのワイヤレストランシーバと、ワイヤレストランシーバに結合されたプロセッサとを備える第１のワイヤレス局（ＳＴＡ）を対象としており、プロセッサは、第２のＳＴＡによって送信され、ワイヤレストランシーバにおいて受信された第１のファインタイミング測定（ＦＴＭ）メッセージの受信を示す第１の確認応答メッセージのワイヤレストランシーバを通じた送信を開始することと、第２のＳＴＡからワイヤレストランシーバにおいて受信された第２のＦＴＭメッセージを取得することとを行うように構成され、第２のＦＴＭメッセージは、第２のＳＴＡにおける第１の確認応答メッセージの認証された受信の時間に少なくとも部分的に基づく１つまたは複数のパラメータを備える。
【００１０】
[0009]別の特定のインプリメンテーションは、第２のワイヤレストランシーバデバイスによって送信された第１のファインタイミング測定（ＦＴＭ）メッセージの第１のワイヤレストランシーバデバイスにおける受信を示す第１の確認応答メッセージの送信を開始することと、第２のワイヤレストランシーバから第１のワイヤレストランシーバデバイスにおいて受信された第２のＦＴＭメッセージを取得することとを行うように第１のワイヤレストランシーバデバイスのプロセッサによって実行可能である記憶されたコンピュータ可読命令を備える非一時的記憶媒体を対象としており、第２のＦＴＭメッセージは、第２のワイヤレストランシーバデバイスにおける第１の確認応答メッセージの認証された受信の時間に少なくとも部分的に基づく１つまたは複数のパラメータを備える。
【００１１】
[00010]別の特定のインプリメンテーションは、第２のワイヤレストランシーバデバイスによって送信された第１のファインタイミング測定（ＦＴＭ）メッセージの受信を示す第１の確認応答メッセージを送信するための手段と、第２のワイヤレストランシーバから第２のＦＴＭメッセージを受信するための手段とを備える第１のワイヤレストランシーバデバイスを対象としており、第２のＦＴＭメッセージは、第２のワイヤレストランシーバデバイスにおける第１の確認応答メッセージの認証された受信の時間に少なくとも部分的に基づく１つまたは複数のパラメータを備える。
【００１２】
[00011]前述されたインプリメンテーションは、単に実例的なインプリメンテーションに過ぎず、特許請求される主題は、これらの実例的なインプリメンテーションの任意の特定の態様に必ずしも限定されないことが理解されるべきである。
【００１３】
[00012]特許請求される主題は、本明細書の結びの部分中ではっきりと特許請求され、特に指摘される。しかしながら、それらの目的、特徴、および／または利点とともに、動作の方法および／または構成の両方に関しては、添付の図面とともに読まれた場合に以下の詳細な説明を参照することによって最も理解されうる。
【図面の簡単な説明】
【００１４】
【図１】あるインプリメンテーションにしたがった、モバイルデバイスを包含するシステムのある特定の特徴を例示するシステム図である。
【図２】特定の実施形態にしたがったメッセージフロー図である。
【図３】特定の実施形態にしたがったメッセージフロー図である。
【図４Ａ】ある実施形態にしたがった、確認応答メッセージを認証するためのプロセスのフロー図である。
【図４Ｂ】ある実施形態にしたがった、ファインタイミング測定（ＦＴＭ）メッセージを処理するためのプロセスのフロー図である。
【図５】ある実施形態にしたがった、ワイヤレストランシーバデバイス間で送信されるメッセージの媒体アクセス制御（ＭＡＣ）ヘッダのフィールドを示す。
【図６】ある実施形態にしたがった、ワイヤレストランシーバデバイス間で送信されるメッセージの媒体アクセス制御（ＭＡＣ）ヘッダのフィールドを示す。
【図７】ある実施形態にしたがったメッセージフロー図である。
【図８】ある実施形態にしたがったメッセージフロー図である。
【図９】あるインプリメンテーションにしたがった、例証的なデバイスを例示する概略ブロック図である。
【図１０】あるインプリメンテーションにしたがった、実例的なコンピューティングシステムの概略ブロック図である。
【００１５】
[00021]以下の詳細な説明中で添付の図面に対する言及がなされ、それは、本願の一部を形成し、ここにおいて、同様の数字は、全体を通じて、対応するおよび／または類似する同様の部分を指し示しうる。例えば、例示の明確さおよび／または簡潔さのために、図は必ずしも原寸通りに描かれていないことが認識されるであろう。例えば、いくつかの態様の寸法は、他のものに対して誇張されうる。さらに、他の実施形態が利用されうることが理解されるべきである。さらに、構造的および／または他の変更が、特許請求される主題から逸脱することなしになされうる。「特許請求される主題」に対するこの明細書全体を通じた言及は、１つまたは複数の請求項、またはそれらの任意の一部分によってカバーされることを意図された主題を指しており、完全な請求項のセット、請求項のセットの特定の組み合わせ（例えば、方法の請求項、装置の請求項、等）、または特定の請求項を指すことを必ずしも意図されていない。例えば、上、下、上部、下部、等のような基準および／または方向が、図面の論述を容易にするために使用されえ、特許請求される主題のアプリケーションを制限することを意図されていないことにもまた留意されたい。したがって、以下の詳細な説明は、特許請求される主題および／または同等物を限定するように受け取られるべきではない。
【詳細な説明】
【００１６】
[00022]１つのインプリメンテーション、あるインプリメンテーション、一実施形態、ある実施形態、および／または同様のものに対するこの明細書全体を通じた言及は、特定のインプリメンテーションおよび／または実施形態に関連して説明される特定の特徴、構造、特性、および／または同様のものが特許請求される主題の少なくとも１つのインプリメンテーションおよび／または実施形態中に含まれることを意味する。このことから、例えば、この明細書全体を通じた様々な場所におけるそのようなフレーズの出現は、同じインプリメンテーションおよび／または実施形態、あるいは任意の１つの特定のインプリメンテーションおよび／または実施形態を指すことを必ずしも意図されていない。さらに、説明される特定の特徴、構造、特性、および／または同様のものは、１つまたは複数のインプリメンテーションおよび／または実施形態において様々な方法で組み合わされることが可能であり、したがって、意図される特許請求の範囲内にあることが理解されるべきである。一般には、当然ながら、特許出願の明細書にとって常に事実であったように、これらおよび他の問題は、使用の特定のコンテキストにおいて異なる可能性がある。言い換えれば、本特許出願全体を通じて、使用および／または説明の特定のコンテキストは、引き出される合理的な推論に関する役に立つ指針を提供するが、しかしながら、同様に、さらなる条件を有さない（without further qualification）一般の「このコンテキストでは」は、本特許出願のコンテキストを指す。
【００１７】
[00023]以下に論述されるように、特定のメッセージフローは、ワイヤレス局（ＳＴＡ）間でのメッセージの送信に関連して距離の効果的および効率的な測定を可能にしうる。特定の例では、ＳＴＡは、例えば、モバイルユーザ局（例えば、スマートフォン、ノートブックコンピュータ、タブレットコンピュータ、等）またはワイヤレスサービスアクセスデバイス（例えば、ワイヤレスローカルエリアネットワーク（ＷＬＡＮ）アクセスポイント、パーソナルエリアネットワーク（ＰＡＮ）またはフェムトセル）のようないくつかのタイプのトランシーバデバイスのうちのいずれか１つを備えうる。特定のメッセージフローおよびメッセージフレーム中のフィールドは、例えば、より少ないメッセージを使用してワイヤレスＳＴＡ間の距離を測定するのに十分な正確性でラウンドトリップタイム（ＲＴＴ）または飛行時間（ＴＯＦ）測定値を取得することを可能にしうる。そのような測定された距離は、例えば、測位動作を含むいくつかのアプリケーションのうちのいずれか１つにおいて使用されうる。
【００１８】
[00024]ＲＴＴの測定のためのＳＴＡ間でのメッセージの送信は典型的に、ほんの数例を提供すると、音声、ビデオ、ＨＴＴＰ、データのような他のアプリケーションをサポートする他のメッセージトラフィックに加えて生じる。それ故に、高密度の動作環境では、ＲＴＴの測定のためのＳＴＡ間でのメッセージングは、ワイヤレスリンクリソースのための競合および輻輳を増大させうる。以下に論述される特定のインプリメンテーションでは、特定の測位技法は、ＲＴＴを測定するために使用される典型的な技法よりも少ないメッセージを使用してＳＴＡ間でのメッセージの送信のためにＴＯＦを測定することによってサポートされうる。ある実施形態によると、ＴＯＦは、シーケンス中で近接して送信されたメッセージの「バースト」において個々のメッセージのために測定されうる。受信されたメッセージのバーストからの複数のＴＯＦ測定値を組み合わせることは、例えば、測定誤りの低減を可能にしうる。
【００１９】
[00025]ある実施形態によると、図１中に示されているように、モバイルデバイス１００ａまたは１００ｂは、ワイヤレス通信ネットワークに無線信号を送信し、ワイヤレス通信ネットワークから無線信号を受信しうる。一例では、モバイルデバイス１００は、ワイヤレス通信リンク１２５を通して、ローカルトランシーバ１１５にワイヤレス信号を送信するか、またはローカルトランシーバ１１５からワイヤレス信号を受信することによって、通信ネットワークと通信しうる。
【００２０】
[00026]特定のインプリメンテーションでは、ローカルトランシーバ１１５は、屋内環境中に位置付けられうる。ローカルトランシーバ１１５は、ワイヤレスローカルエリアネットワーク（ＷＬＡＮ、例えば、ＩＥＥＥ規格８０２．１１ネットワーク）またはワイヤレスパーソナルエリアネットワーク（ＷＰＡＮ、例えば、Ｂｌｕｅｔｏｏｔｈ（登録商標）ネットワーク）へのアクセスを提供しうる。別の実例的なインプリメンテーションでは、ローカルトランシーバ１１５は、セルラ通信プロトコルにしたがってワイヤレス通信リンク１２５上での通信を容易にすることが可能であるフェムトセルトランシーバを備えうる。当然ながら、これらは単にワイヤレスリンクを通してモバイルデバイスと通信しうるネットワークの例に過ぎず、特許請求される主題はこの点において限定されないことが理解されるべきである。
【００２１】
[00027]特定のインプリメンテーションでは、ローカルトランシーバ１１５ａまたは１１５ｂは、リンク１４５を通じてネットワーク１３０上でサーバ１４０、１５０、および／または１５５と通信しうる。ここで、ネットワーク１３０は、ワイヤードリンクまたはワイヤレスリンクの任意の組み合わせを備えうる。特定のインプリメンテーションでは、ネットワーク１３０は、ローカルトランシーバ１１５を通じたモバイルデバイス１００とサーバ１４０、１５０または１５５との間での通信を容易にすることが可能であるインターネットプロトコル（ＩＰ）インフラストラクチャを備えうる。別のインプリメンテーションでは、ネットワーク１３０は、モバイルデバイス１００とのモバイルセルラ通信を容易にするためのワイヤードまたはワイヤレス通信ネットワークインフラストラクチャを備えうる。
【００２２】
[00028]特定のインプリメンテーションでは、モバイルデバイス１００は、ローカル送信機（例えば、知られているロケーションに位置付けられたＷＬＡＮアクセスポイント）から捕捉された信号に少なくとも部分的に基づいて位置フィックスを計算することが可能でありうる。例えば、モバイルデバイスは、知られているロケーションに位置付けられた３つ以上の屋内の地上ワイヤレスアクセスポイントまでの距離を測定することによって位置フィックスを取得しうる。そのような距離は、例えば、そのようなアクセスポイントから受信された信号からＭＡＣ ＩＤアドレスを取得することと、例えば、受信信号強度（ＲＳＳＩ）またはＲＴＴのような、そのようなアクセスポイントから受信された信号の１つまたは複数の特性を測定することによってアクセスポイントまでの距離測定値を取得することとによって測定されうる。
【００２３】
[00029]特定のインプリメンテーションでは、モバイルデバイス１００またはローカルトランシーバ１１５は、サーバ１４０、１５０または１５５から屋内測位動作のための測位支援データを受信しうる。例えば、そのような測位支援データは、例えば、測定されたＲＳＳＩおよび／またはＲＴＴに少なくとも部分的に基づいて、知られているロケーションに位置付けられた送信機までの距離を測定することを可能にするための、これらの送信機のロケーションおよびアイデンティティを含みうる。
【００２４】
[00030]特定のインプリメンテーションでは、ワイヤレスＳＴＡ間での特定のメッセージフローは、上述されたように、測位動作において使用するために、ＳＴＡ間でのメッセージの交換からＲＴＴの測定値を取得するためにインプリメントされうる。特定のインプリメンテーションでは、以下に論述されるように、いずれのＳＴＡもモバイルデバイス（例えば、モバイルデバイス１００）または固定トランシーバ（例えば、ＩＥＥＥ規格８０２．１１アクセスポイント、固定Ｂｌｕｅｔｏｏｔｈデバイス、ローカルトランシーバ１１５、等）を備えうる。そのため、ワイヤレスＳＴＡ間でのメッセージの交換は、ほんの数例を提供すると、モバイルデバイスと固定トランシーバとの間（例えば、ワイヤレスリンク１２５を通したモバイルデバイス１００とローカルトランシーバ１１５との間）、２つのピアモバイルデバイス間（例えば、ワイヤレスリンク１５９を通したモバイルデバイス１００ａと１００ｂとの間）、または２つの固定トランシーバ間（例えば、ワイヤレスリンク１７９を通したローカルトランシーバ１１５ａとローカルトランシーバ１１５ｂとの間）でのメッセージの交換を備えうる。特定のインプリメンテーションでは、ここに説明される様々な技法は、IEEE P802.11-REVmc（登録商標）/D6.0 Draft Standard 802.11 for Information technology-Telecommunications and information exchange between systems, Local and metropolitan area networks-Specific requirements Part 11: Wireless LAN Medium Access Control (MAC) and Physical Layer (PHY), January 2016, section 11.24.6（以下において「ＩＥＥＥ規格８０２．１１」と記載される）のいくつかの、ただ必ずしも全てではない態様または特徴を組み込みうる。実際、ここに説明されるいくつかの特徴は、ＩＥＥＥ規格８０２．１１中に示されても、説明されても、または教示されてもいないことが理解されるべきである。
【００２５】
[00031]図２は、ある実施形態にしたがった、「応答」局（ＳＴＡ）と「開始」ＳＴＡとを含むワイヤレスＳＴＡ間でのメッセージフローを例示する図である。このコンテキストでは、応答ＳＴＡまたは開始ＳＴＡのようなＳＴＡは、モバイルデバイス（例えば、モバイルデバイス１００）または固定アクセストランシーバデバイス（例えば、ローカルトランシーバ１１５）を含むいくつかのトランシーバデバイスのうちのいずれか１つを備えうる。ＳＴＡの特定の特徴は、例えば、図９および１０中に示されている実例的なインプリメンテーション中に示されうる。しかしながら、これらは単に開始ＳＴＡまたは応答ＳＴＡの例に過ぎず、特許請求される主題はこの点において限定されないことが理解されるべきである。開始ＳＴＡは、開始ＳＴＡと応答ＳＴＡとの間で送信されたメッセージまたはフレームのタイミングに少なくとも部分的に基づいて、ＲＴＴの１つまたは複数の測定値を取得または計算しうる。ここに使用される場合、「メッセージ」および「フレーム」という用語は、交換可能に使用される。開始ＳＴＡは、応答ＳＴＡにファインタイミング測定要求メッセージまたはフレーム（「要求」）２０２を送信し、それに応答して送信されたファインタイミング要求メッセージ確認応答メッセージまたはフレーム（「Ａｃｋ」）２０４を受信しうる。特定のインプリメンテーションでは、特許請求される主題をこの点において限定しない一方で、そのようなファインタイミング測定要求メッセージ２０２のコンテンツは、ＩＥＥＥ規格８０２．１１中に示されている通りでありうる。特定のインプリメンテーションでは、そのようなＡｃｋフレーム２０４は単に、以前に送信されたメッセージの受信のインジケーションを提供するに過ぎないことがありうる。開始ＳＴＡはその後、応答ＳＴＡから受信された（および、ファインタイミング測定要求メッセージの受信に応答して送信された）ファインタイミング測定メッセージまたはフレーム（「Ｍ」）２０６中に提供されたタイムスタンプ値（ｔ１，ｔ４）に少なくとも部分的に基づいてＲＴＴ測定値を取得または計算しうる。特定のインプリメンテーションでは、メッセージフロー図中に示されているように、交互のファインタイミング測定メッセージ２０６の後にファインタイミング測定確認応答メッセージ２０８が続く複数の交換のシーケンスは、追加のタイムスタンプ値（ｔ１，ｔ２，ｔ３およびｔ４）を作成しうる。
【００２６】
[00032]ある実施形態によると、開始ＳＴＡによって送信されたファインタイミング測定要求（ＦＴＭＲ）メッセージは、開始ＳＴＡがＲＴＴ測定値を計算することを可能にするファインタイミング測定値を開始ＳＴＡに提供するために、応答ＳＴＡとのメッセージの所望される交換を特徴付けるフィールド、パラメータ、等を含みうる。ＦＴＭ要求メッセージの受信に応答して、応答ＳＴＡは、開始ＳＴＡがＲＴＴまたは距離を示す他のパラメータを計算することを可能にする測定値またはパラメータを含む１つまたは複数のファインタイミング測定（ＦＴＭ）メッセージを開始ＳＴＡに送信しうる。
【００２７】
[00033]このコンテキストでは、「ＦＴＭメッセージ」は、メッセージを受信するデバイスがメッセージの受信の時間を決定することを可能にする１つまたは複数の特徴を有する、送信デバイスから送信されたメッセージを備える。特定のインプリメンテーションでは、特許請求される主題をこの点において限定しない一方で、そのようなファインタイミング測定メッセージまたはフレームのコンテンツは、セクションにおいてＩＥＥＥ規格８０２．１１中に示されている通りでありうる。１つの実例的なインプリメンテーションでは、開始ＳＴＡは、ＲＴＴ測定値を（ｔ４−ｔ１）−（ｔ３−ｔ２）として計算しえ、ここで、ｔ２とｔ３とは、それぞれ、以前のファインタイミング測定メッセージまたはフレームの受信の時間と、先行する確認応答メッセージまたはフレームの送信の時間とである。開始ＳＴＡは、開始ＳＴＡと応答ＳＴＡとの間の距離を計算するにあたって非バイアス測定雑音（unbiased measurement noise）の使用のために組み合わされうる、対応する数のＲＴＴ測定値を取得するために、バーストにおいてファインタイミング測定フレームを受信しうる。
【００２８】
[00034]ある実施形態によると、送信デバイスからワイヤレスで送信され、受信デバイスにおいて捕捉されたメッセージのＴＯＦは、送信されたメッセージが送信時間を示すタイムスタンプ値を含む場合に測定されうる。特定のインプリメンテーションでは、送信されたメッセージは、受信デバイスにおいて検出可能である符号化されたシンボルを包含するフィールド（例えば、プリアンブル、ヘッダおよびペイロード）を備えうる。送信されたメッセージを捕捉し、到着時間を決定するために、受信デバイスは、メッセージによって送信されたシンボルのシーケンス中の特定のシンボルを検出または復号しうる。特定のシンボルが、送信されたメッセージ中にまた含まれているタイムスタンプ値に参照付けられる場合、受信デバイスは、特定のシンボルが復号または検出されたというインスタンスとタイムスタンプ値との間の差異に基づいてＴＯＦ＝ＲＴＴ／２を測定しうる。
【００２９】
[00035]図２に関連して上述されたように、開始ＳＴＡは、ＦＴＭメッセージの受信を確認応答する、開始ＳＴＡによって送信された確認応答メッセージの到着時間（ｔ４）に少なくとも部分的に基づいてＲＴＴ測定値を計算しうる。いくつかのシナリオでは、不正デバイス（a rogue device）（すなわち、開始ＳＴＡ以外）は、開始ＳＴＡに応答ＳＴＡによって送信されたＦＴＭメッセージをスヌーピングし、なりすまし（spoofed）確認応答メッセージを送信しうる。これは、図３中に示されている非限定的な例によって例示されており、スヌーピングＳＴＡは、開始ＳＴＡのＳＴＡ２を対象とした最初のＦＴＭメッセージ３０２を傍受し、時間ｔ４’において応答ＳＴＡのＳＴＡ１に到着する（開始ＳＴＡのＳＴＡ２から送信される本物の確認応答メッセージ３０６の時間ｔ４より早く到着する）なりすまし確認応答メッセージ３０４を送信しうる。なりすまし確認応答メッセージ３０４を本物の確認応答メッセージとして扱うことによって、ＳＴＡ１は、なりすまし確認応答メッセージの到着時間Ｔ４’を有する後続のＦＴＭメッセージ３０８を送信しうる。ＳＴＡ２はその後、なりすまし確認応答メッセージ３０４の到着時間Ｔ４’に基づいて誤ったＲＴＴを計算しうる。なりすましＳＴＡが、例えば、開始ＳＴＡのＳＴＡ２より応答ＳＴＡ１に近い場合、到着時間Ｔ４’は、ＲＴＴが本物の確認応答メッセージ３０６の到着時間Ｔ４を使用して計算される場合よりも、ＲＴＴについてより小さい値をもたらしうる。
【００３０】
[00036]１つの特定のインプリメンテーションでは、応答ＳＴＡは、受信されたメッセージ中の１つまたは複数のフィールドに少なくとも部分的に基づいてＦＴＭメッセージの受信を確認応答する、開始ＳＴＡから受信されたメッセージを認証しうる。図４Ａは、応答ＳＴＡにおいて受信された確認応答メッセージが本物かどうかを決定するためのプロセスのフロー図である。ブロック４０２において、第１のＳＴＡは、第２のＳＴＡに宛てられたＦＴＭメッセージを送信しうる。特定の例では、ブロック４０２において送信されたＦＴＭメッセージは、ＳＴ２から送信されたＦＴＭ要求メッセージ（図示せず）の受信に応答してＳＴＡ１から送信されたＦＴＭメッセージ３０２を備えうる。それ故に、特定の実施形態では、ブロック４０２において送信されたＦＴＭメッセージは、ＦＴＭメッセージを開始するＦＴＭ要求メッセージを送信したＳＴＡに宛てられうる。特定のインプリメンテーションでは、ブロック４０２は、ワイヤレストランシーバ１１２１およびアンテナ１１２３（図９）または通信インターフェース１８３０およびアンテナ１８０８（図１０）によって少なくとも部分的に遂行または可能にされうる。
【００３１】
[00037]ブロック４０４において、ＳＴＡは、受信されたメッセージを、ワイヤレストランシーバデバイスによって送信されたものとして条件付きで認証し、ブロック４０２において送信されたＦＴＭメッセージの受信を確認応答する。例えば、図３中に上述されたように、ブロック４０４は、メッセージ３０４またはメッセージ３０６がＦＴＭメッセージ３０２の受信に応答してＳＴＡ２によって送信された本物の確認応答メッセージであるかどうかを決定することを試みうる。このコンテキストでは、特定のワイヤレストランシーバデバイスによって送信されたものとしてのメッセージの「認証」は、メッセージが実際に特定のワイヤレストランシーバデバイスによって送信されたかどうかを推測するためにメッセージの態様または特性が評価されるプロセスである。例えば、そのようなメッセージが認証されない場合、受信側デバイスは、例えば、認証されていないメッセージの到着時間以外の情報を使用してＴＯＦまたはＦＴＴを計算しうる、および／またはそのメッセージの到着時間を後続のＦＴＭメッセージ（例えば、ＦＴＭメッセージ３０８）中で送信しないことがありうる。これは、例えば、誤った到着時間Ｔ４を有するＦＴＭメッセージの送信を防ぎうる（例えば、誤ったＴ４’値を有するＦＴＭメッセージ３０８の送信を防ぐ）。特定のインプリメンテーションでは、ブロック４０４は、例えば、メモリ１１４０上に記憶された命令と組み合わせて汎用／アプリケーションプロセッサ１１１１またはＤＳＰ（１つ以上）１１１２によって（図９）、またはメモリ１８２２上に記憶された命令と組み合わせて処理ユニット１８２０によって、少なくとも部分的に遂行または可能にされうる。
【００３２】
[00038]図４Ｂは、図４Ａにしたがって確認応答メッセージを処理する応答ＳＴＡと通信中の開始ＳＴＡによって遂行される実例的なプロセスである。ブロック４５２は、応答ＳＴＡによって送信された第１のＦＴＭメッセージの受信を確認応答する確認応答メッセージを送信しうる。ある例では、ブロック４５２において送信された確認応答メッセージは、ブロック４０２にしたがって応答ＳＴＡによって受信されうる。特定のインプリメンテーションでは、ブロック４５２は、例えば、メモリ１１４０上に記憶された命令と組み合わせて汎用／アプリケーションプロセッサ１１１１またはＤＳＰ（１つ以上）１１１２によって（図９）、またはメモリ１８２２上に記憶された命令と組み合わせて処理ユニット１８２０によって、少なくとも部分的に遂行または可能にされうる。
【００３３】
[00039]ブロック４５４は、応答ＳＴＡから送信された第２のＦＴＭメッセージの受信を伴いうる。ここで、第２のＦＴＭメッセージは、ブロック４５２において送信された確認応答メッセージの応答ＳＴＡにおける認証された受信の時間に少なくとも部分的に基づく１つまたは複数のパラメータを備えうる。このコンテキストでは、「確認応答メッセージの認証された受信の時間」は、特定のソースデバイスから送信されたものとして認証された確認応答メッセージの到着時間を意味する。例えば、「確認応答メッセージの認証された受信の時間」は、例えば、ここに論述されたようにブロック４０４にしたがって認証された確認応答メッセージの受信の時間を備えうる。特定のインプリメンテーションでは、ブロック４５４は、例えば、メモリ１１４０上に記憶された命令と組み合わせて汎用／アプリケーションプロセッサ１１１１またはＤＳＰ（１つ以上）１１１２によって（図９）、またはメモリ１８２２上に記憶された命令と組み合わせて処理ユニット１８２０によって、少なくとも部分的に遂行または可能にされうる。
【００３４】
[00040]ある実施形態によると、ブロック４０４は、確認応答メッセージのヘッダ中の媒体アクセス制御（ＭＡＣ）アドレスのようなメッセージのコンテンツに少なくとも部分的に基づいて確認応答メッセージを条件付きで認証しうる。例えば、ブロック４０４は、受信されたメッセージ（例えば、メッセージなりすまし確認応答メッセージ３０４または確認応答メッセージ３０６）のソースフィールド中のＭＡＣアドレスを以前のＦＴＭメッセージ（例えば、ＦＴＭメッセージ３０２）のフィールド中のソースアドレスと比較し、一致が存在する場合に、受信されたメッセージを認証しうる。一態様では、確認応答メッセージのヘッダは、意図される受信側デバイスの宛先アドレスだけでなく、確認応答メッセージを送信するデバイスのＭＡＣアドレスも指定するように修正されうる。図６中に示されているように、例えば、ＩＥＥＥ規格８０２．１１は、ＭＡＣヘッダが確認応答メッセージのためのアドレス（例えば、意図される受信側応答ＳＴＡの第１のトークンＢＳＳＩＤ）を含むことを指定するが、ＭＡＣヘッダが確認応答メッセージを送信するデバイスのためのアドレスを含むことは指定しない。図５中に示されているように、ある実施形態によると、追加のフィールドが、アドレスを指定するために含まれえ、ここにおいて、フィールド「アドレス１」は、宛先応答ＳＴＡのＢＳＳＩＤを指定し、フィールド「アドレス２」は、ソース開始ＳＴＡのＢＳＳＩＤを指定しうる。ここで、フィールド「アドレス２」を有する確認応答メッセージを受信する応答ＳＴＡは、フィールド「アドレス２」中の送信デバイスのソースＢＳＳＩＤが応答ＳＴＡによって以前に送信されたＦＴＭメッセージ（例えば、ＦＴＭメッセージ３０２）中のヘッダの宛先フィールドと一致する場合に確認応答メッセージ（例えば、確認応答メッセージ３０６）を認証しうる。
【００３５】
[00041]別の実施形態では、ブロック４０４は、複数の受信されたメッセージの中から本物の確認応答メッセージを選択することによって確認応答メッセージを条件付きで認証しうる。図７中に示されているように、応答ＳＴＡのＳＴＡ１は、Ｔ４’においてなりすまし確認応答メッセージ７０６を受信し、時間Ｔ４＝Ｔ４’＋デルタにおいて（ＦＴＭメッセージ７０４に応答して開始ＳＴＡのＳＴＡ１から送信された）本物の確認応答メッセージ７０８を受信しうる。本物の確認応答メッセージ７０８はまた、（先行するＦＴＭメッセージ７０４についての到着のタイムスタンプを示す）Ｔ２と、（本物の確認応答メッセージ７０８の送信のタイムスタンプを示すＴ３と（または、代替として、Ｔ２−Ｔ３についての値）を示す１つまたは複数のフィールドを含みうる。
【００３６】
【数１】
2019513972.tif 000003
【００３７】
であることを認識すると、受信側応答ＳＴＡのＳＴＡ１はその後、確認応答メッセージが本物であるかどうかを決定するために、受信されたメッセージの到着時間（例えば、なりすまし確認応答メッセージ７０６の到着時間または本物の確認応答メッセージ７０８の到着時間）をＴ３＋（Ｔ２−Ｔ１）と比較しうる。確認応答メッセージの到着時間がシステムの誤りの許容範囲内でＴ３＋（Ｔ２−Ｔ１）から有意に逸脱しない場合、応答ＳＴＡのＳＴＡ１は、受信されたメッセージを認証しうる。応答ＳＴＡのＳＴＡ１はその後、後続のＦＴＭメッセージ７１０中で、認証された、受信されたメッセージの到着時間を開始ＳＴＡのＳＴＡ２に提供しうる。その一方で、受信されたメッセージの到着時間がＴ３＋（Ｔ２−Ｔ１）から有意に逸脱する場合、応答ＳＴＡのＳＴＡ１は、開始ＳＴＡのＳＴＡ１に送信される後続のＦＴＭメッセージ７１０中に、受信されたメッセージの到着時間をＴ４として提供しないことがありうる。代替のインプリメンテーションでは、開始ＳＴＡのＳＴＡ１は、時間Ｔ２およびＴ３に基づいて（およびＴ４を使用することなしに）ＲＴＴを計算しうる。
【００３８】
[00042]ある実施形態によると、開始ＳＴＡはオプションとして、応答ＳＴＡから送信されるＦＴＭメッセージ中の誤ったタイムスタンプ値（例えば、Ｔ４’）に対して特に脆弱であるアプリケーション中で図４Ａのプロセスを開始しうる。特定の実施形態では、図７中に示されているように、開始ＳＴＡのＳＴＡ２によって送信される最初のＦＴＭＲメッセージ７０２は、ＦＴＭメッセージの受信を確認応答するメッセージが図４Ａのプロセスの１つまたは複数の特定の実施形態にしたがって受信側応答ＳＴＡにおいて認証されるべきであることを指定するパラメータ（例えば、「トリガ」フィールド中の「３」の値）を含みうる。しかしながら、ＦＴＭ要求メッセージのトリガフィールド中の特定の値の使用は単に、確認応答メッセージがセキュアな様式で処理されるべきであることを開始ＳＴＡがどのように示しうるかの例に過ぎず、特許請求される主題はこの点において限定されないことが理解されるべきである。
【００３９】
[00043]図８中に示されている代替の実施形態では、ブロック４０４における応答ＳＴＡのＳＴＡ１は、応答ＳＴＡのＳＴＡ１と開始ＳＴＡのＳＴＡ２との間でのトークンの交換と所定の関数とに少なくとも部分的に基づいて、受信されたメッセージを確認応答メッセージとして条件付きで認証しうる。応答ＳＴＡにおける確認応答メッセージの到着時間の検出における増大された正確性を可能にするために、開始ＳＴＡは、増大された周波数トーンを有する信号中で確認応答メッセージを送信しうる。図８の特定のインプリメンテーションでは、例えば、開始ＳＴＡのＳＴＡ２は、ＨＴ／ＶＨＴ／ＨＥフォーマットのような特定のシグナリングフォーマットで確認応答メッセージを送信することによって、確認応答メッセージの周波数トーンを増大させうる。開始ＳＴＡのＳＴＡ１は、特定のメッセージフィールド中のビットパターンの形式などで、ＦＴＭ要求メッセージおよび確認応答メッセージ中にトークンを含めうる。例えば、ＦＴＭＲメッセージ８０２中に、開始ＳＴＡのＳＴＡ２は、第１のトークンのトークン１を含みうる。ＦＴＭＲメッセージ８０２に応答して応答ＳＴＡのＳＴＡ１によって送信される最初のＦＴＭメッセージ８０４は、第２のトークンのトークン２を含みうる（ＦＴＭメッセージ８０４の特定のフィールド中の第２のビットパターンなど）。ＦＴＭメッセージ８０４の受信を確認応答する、開始ＳＴＡのＳＴＡ２からの後続の確認応答メッセージ８１０はその後、トークン１とトークン２との特定の関数（例えば、ハッシュ関数）として計算されたトークン３を含みうる。ＦＴＭメッセージ８０４の受信を確認応答する確認応答メッセージ８１０を受信すると、応答ＳＴＡのＳＴＡ１は、結果を取得するためにトークン１とトークン２との特定の関数を計算し、その結果を受信されたＦＴＭメッセージ８１０から取得されたトークン３と比較することによって、確認応答メッセージ８１０を認証しうる。応答ＳＴＡのＳＴＡ１は、予期されたトークン３値を有さないＡｃｋフレームを無視することを選びうる。
【００４０】
[00044]ある実施形態によると、応答ＳＴＡは、ＦＴＭ要求メッセージによって要求されたＦＴＭメッセージのバーストにおいて送信された複数のＦＴＭメッセージの確認応答としてメッセージを個々に認証しうる。図８の実例的なメッセージフローでは、ＦＴＭメッセージ８０４および８１２は、ＦＴＭ要求メッセージ８０２によって要求されたＦＴＭメッセージのバーストにおいて送信されうる。認証された確認応答メッセージ８１０の受信の時間の値を包含するＦＴＭメッセージ８１２の送信に続いて、図８の応答ＳＴＡのＳＴＡ１は、後続の受信されたメッセージ中に提供された１つまたは複数の異なるトークンに基づいて後続の受信されたメッセージを同様に認証しうる。例えば、応答ＳＴＡのＳＴＡ１は、ＦＴＭメッセージ８０４中のトークン２をＦＴＭメッセージ８１２中のトークン４と置き換えうる。ＦＴＭメッセージ８１２の受信に応答して、開始ＳＴＡのＳＴＡ２は、（受信されたＦＴＭメッセージ８１２から取得された）トークン４とトークン１とに基づく特定の関数の計算の結果としてトークン５を包含する確認応答メッセージ８１４を送信しうる。ＦＴＭメッセージ８１２の受信を確認応答する確認応答メッセージ８１４を受信すると、応答ＳＴＡのＳＴＡ１は、結果を取得するためにトークン１とトークン４との特定の関数を計算し、受信されたＦＴＭメッセージ８１４から取得されたトークン５と比較することによって、確認応答メッセージ８１２を認証しうる。
【００４１】
[00045]図９は、ある実施形態にしたがったモバイルデバイスの概略図である。モバイルデバイス１００（図１）は、図８中に示されているモバイルデバイス１１００の１つまたは複数の特徴を備えうる。ある特定の実施形態では、モバイルデバイス１１００はまた、ワイヤレス通信ネットワーク上でワイヤレスアンテナ１１２２を介してワイヤレス信号１１２３を送信および受信することが可能であるワイヤレストランシーバ１１２１を備えうる。ワイヤレストランシーバ１１２１は、ワイヤレストランシーババスインターフェース１１２０によってバス１１０１に接続されうる。ワイヤレストランシーババスインターフェース１１２０は、いくつかの実施形態では、ワイヤレストランシーバ１１２１と少なくとも部分的に一体化されうる。いくつかの実施形態は、ほんの数例を挙げると、例えば、ＩＥＥＥ規格８０２．１１のバージョン、ＣＤＭＡ、ＷＣＤＭＡ（登録商標）、ＬＴＥ（登録商標）、ＵＭＴＳ、ＧＳＭ（登録商標）、ＡＭＰＳ、Ｚｉｇｂｅｅ（登録商標）およびＢｌｕｅｔｏｏｔｈのような対応する複数のワイヤレス通信規格にしたがって信号を送信および／または受信することを可能にするために、複数のワイヤレストランシーバ１１２１およびワイヤレスアンテナ１１２２を含みうる。あるインプリメンテーションでは、ワイヤレストランシーバ１１２１は、通信ネットワーク中で用いられる物理的送信媒体のような物理的送信媒体中に信号を備える（ビット、バイト、値、パラメータ、フィールド、等のようなコンポーネントを含む）フレームまたはメッセージを送信または受信しうる。
【００４２】
[00046]モバイルデバイス１１００はまた、ＳＰＳアンテナ１１５８を介してＳＰＳ信号１１５９を受信および捕捉することが可能であるＳＰＳ受信機１１５５を備えうる。ＳＰＳ受信機１１５５はまた、モバイルデバイス１１００のロケーションを推定するために、捕捉されたＳＰＳ信号１１５９を全体的または部分的に処理しうる。いくつかの実施形態では、汎用プロセッサ（１つ以上）１１１１、メモリ１１４０、ＤＳＰ（１つ以上）１１１２および／または特殊プロセッサ（図示せず）はまた、ＳＰＳ受信機１１５５と併せて、全体的または部分的に、捕捉されたＳＰＳ信号を処理するために、および／またはモバイルデバイス１１００の推定されたロケーションを算出するために利用されうる。測位動作を遂行するにあたって使用するためのＳＰＳまたは他の信号の記憶は、メモリ１１４０またはレジスタ（図示せず）中で遂行されうる。
【００４３】
[00047]図９中にまた示されているように、モバイルデバイス１１００は、バスインターフェース１１１０によってバス１１０１に接続されたデジタルシグナルプロセッサ（１つ以上）（ＤＳＰ（１つ以上））１１１２、バスインターフェース１１１０によってバス１１０１に接続された汎用プロセッサ（１つ以上）１１１１、およびメモリ１１４０を備えうる。バスインターフェース１１１０は、ＤＳＰ（１つ以上）１１１２、汎用プロセッサ（１つ以上）１１１１、およびメモリ１１４０と一体化されうる。様々な実施形態では、機能は、ほんの数例を挙げると、ＲＡＭ、ＲＯＭ、ＦＬＡＳＨ、またはディスクドライブのような、コンピュータ可読記憶媒体上などのメモリ１１４０中に記憶された１つまたは複数の機械可読命令の応答実行において遂行されうる。１つまたは複数の命令は、汎用プロセッサ（１つ以上）１１１１、特殊プロセッサ、またはＤＳＰ（１つ以上）１１１２によって実行可能でありうる。メモリ１１４０は、ここに説明される機能を遂行するために、プロセッサ（１つ以上）１１１１および／またはＤＳＰ（１つ以上）１１１２によって実行可能であるソフトウェアコード（プログラミングコード、命令、等）を記憶するコンピュータ可読メモリおよび／または非一時的プロセッサ可読メモリを備えうる。特定のインプリメンテーションでは、ワイヤレストランシーバ１１２１は、上述されたように、モバイルデバイス１１００がワイヤレスＳＴＡとして構成されることを可能にするために、バス１１０１を通じて汎用プロセッサ（１つ以上）１１１１および／またはＤＳＰ（１つ以上）１１１２と通信しうる。汎用プロセッサ（１つ以上）１１１１および／またはＤＳＰ（１つ以上）１１１２は、図２〜８と関連して上述されたプロセスの１つまたは複数の態様を実行するための命令を実行しうる。
【００４４】
[00048]図９中にまた示されているように、ユーザインターフェース１１３５は、ほんの数例を挙げると、例えば、スピーカ、マイクロフォン、ディスプレイデバイス、振動デバイス、キーボード、タッチスクリーンのようないくつかのデバイスのうちの任意の１つを備えうる。特定のインプリメンテーションでは、ユーザインターフェース１１３５は、ユーザがモバイルデバイス１１００上にホストされた１つまたは複数のアプリケーションと相互作用することを可能にしうる。例えば、ユーザインターフェース１１３５のデバイスは、ユーザからのアクションに応答して、ＤＳＰ（１つ以上）１１１２または汎用／アプリケーションプロセッサ１１１１によってさらに処理されることになるアナログまたはデジタル信号をメモリ１１４０上に記憶しうる。同様に、モバイルデバイス１１００上にホストされたアプリケーションは、ユーザに出力信号を提示するために、メモリ１１４０上にアナログまたはデジタル信号を記憶しうる。別のインプリメンテーションでは、モバイルデバイス１１００はオプションとして、例えば、専用スピーカ、マイクロフォン、デジタル−アナログ回路、アナログ−デジタル回路、増幅器および／または利得制御を備える専用オーディオ入力／出力（Ｉ／Ｏ）デバイス１１７０を含みうる。しかしながら、これは単にオーディオＩ／Ｏがモバイルデバイスにおいてどのようにインプリメントされうるかの例に過ぎず、特許請求される主題はこの点において限定されないことが理解されるべきである。別のインプリメンテーションでは、モバイルデバイス１１００は、キーボードまたはタッチスクリーンデバイス上でのタッチまたは圧力に反応するタッチセンサ１１６２を備えうる。
【００４５】
[00049]モバイルデバイス１１００はまた、静止画または動画をキャプチャするための専用カメラデバイス１１６４を備えうる。専用カメラデバイス１１６４は、ほんの数例を挙げると、例えば、撮像センサ（例えば、電荷結合素子またはＣＭＯＳイメージャ）、レンズ、アナログ−デジタル回路、フレームバッファを備えうる。１つのインプリメンテーションでは、キャプチャされた画像を表す信号の追加の処理、調整、符号化または圧縮は、汎用／アプリケーションプロセッサ１１１１あるいはＤＳＰ（１つ以上）１１１２において遂行されうる。代替として、専用ビデオプロセッサ１１６８は、キャプチャされた画像を表す信号の調整、符号化、圧縮または操作を遂行しうる。加えて、専用ビデオプロセッサ１１６８は、モバイルデバイス１１００上のディスプレイデバイス（図示せず）上での提示のために、記憶された画像データを復号／解凍しうる。
【００４６】
[00050]モバイルデバイス１１００はまた、例えば、慣性センサおよび環境センサを含みうる、バス１１０１に結合されたセンサ１１６０を備えうる。センサ１１６０の慣性センサは、例えば、（例えば、１つまたは複数のコンパスアプリケーションをサポートするための）１つまたは複数の磁力計、１つまたは複数のジャイロスコープ、または（例えば、３次元でのモバイルデバイス１１００の加速度に集合的に応じる）加速度計を備えうる。モバイルデバイス１１００の環境センサは、ほんの数例を挙げると、例えば、温度センサ、気圧センサ、環境光センサ、カメライメージャ、マイクロフォンを備えうる。センサ１１６０は、メモリ１１４０中に記憶され、例えば、測位または航法動作を対象とするアプリケーションのような１つまたは複数のアプリケーションをサポートする汎用／アプリケーションプロセッサ１１１１またはＤＰＳ（１つ以上）によって処理されうるアナログまたはデジタル信号を生成しうる。
【００４７】
[00051]特定のインプリメンテーションでは、モバイルデバイス１１００は、ワイヤレストランシーバ１１２１またはＳＰＳ受信機１１５５において受信およびダウンコンバートされた信号のベースバンド処理を遂行することが可能である専用モデムプロセッサ１１６６を備えうる。同様に、専用モデムプロセッサ１１６６は、ワイヤレストランシーバ１１２１による送信のためにアップコンバートされることになる信号のベースバンド処理を遂行しうる。代替のインプリメンテーションでは、専用モデムプロセッサを有する代わりに、ベースバンド処理は、汎用プロセッサまたはＤＳＰ（例えば、汎用／アプリケーションプロセッサ１１１１またはＤＳＰ（１つ以上）１１１２）によって遂行されうる。しかしながら、これらは単にベースバンド処理を遂行しうる構造の例に過ぎず、特許請求される主題はこの点において限定されないことが理解されるべきである。
【００４８】
[00052]図１０は、例えば、図１に関連して上述された技法またはプロセスをインプリメントするように構成可能である１つまたは複数のデバイスを含みうる実例的なシステム１８００を例示する概略図である。システム１８００は、例えば、第１のデバイス１８０２、第２のデバイス１８０４、および第３のデバイス１８０６を含みえ、それらは、ワイヤレス通信ネットワークを通じてともに動作可能に結合されうる。ある態様では、第１のデバイス１８０２は、例えば、示されているようにアクセスポイントを備えうる。ある態様では、第２のデバイス１８０４は、アクセスポイント（例えば、ローカルトランシーバ１１５または基地局トランシーバ１１０）を備え、第３のデバイス１８０６は、モバイル局またはモバイルデバイスを備えうる。また、ある態様では、デバイス１８０２、１８０４および１８０２は、例えば、１つまたは複数のワイヤレスアクセスポイントを備えうるワイヤレス通信ネットワーク中に含まれうる。しかしながら、特許請求される主題は、これらの点において範囲を限定されない。
【００４９】
[00053]図１０中に示されている第１のデバイス１８０２、第２のデバイス１８０４、および第３のデバイス１８０６は、ワイヤレス通信ネットワークを通してデータを交換するように構成可能でありうる任意のデバイス、器具または機械を表しうる。限定ではなく例として、第１のデバイス１８０２、第２のデバイス１８０４、または第３のデバイス１８０６のいずれも、例えば、デスクトップコンピュータ、ラップトップコンピュータ、ワークステーション、サーバデバイス、または同様のもののような１つまたは複数のコンピューティングデバイスあるいはプラットフォーム、例えば、携帯情報端末、モバイル通信デバイス、または同様のもののような１つまたは複数のパーソナルコンピューティングまたは通信デバイスあるいは器具、例えば、データベースまたはデータ記憶サービスプロバイダ／システム、ネットワークサービスプロバイダ／システム、インターネットまたはイントラネットサービスプロバイダ／システム、ポータルまたは検索エンジンサービスプロバイダ／システム、ワイヤレス通信サービスプロバイダ／システムのようなコンピューティングシステムまたは関連するサービスプロバイダ機能、あるいはそれらの任意の組み合わせ、を含みうる。第１、第２、および第３のデバイス１８０２、１８０４、および１８０６のいずれも、それぞれ、ここに説明されている例にしたがって、アクセスポイントまたはモバイルデバイスのうちの１つまたは複数を備えうる。
【００５０】
[00054]同様に、図１０中に示されているワイヤレス通信ネットワークは、第１のデバイス１８０２、第２のデバイス１８０４、および第３のデバイス１８０６のうちの少なくとも２つの間でのデータの交換をサポートするように構成可能である１つまたは複数の通信リンク、プロセス、またはリソースを表す。限定ではなく例として、ワイヤレス通信ネットワークは、ワイヤレスまたはワイヤード通信リンク、電話または電気通信システム、データバスまたはチャネル、光ファイバ、地上または宇宙ビークルリソース、ローカルエリアネットワーク、ワイドエリアネットワーク、イントラネット、インターネット、ルータまたはスイッチ、および同様のもの、またはそれらの任意の組み合わせを含みうる。例えば、第３のデバイス１８０６の部分的に覆い隠されているものとして例示された破線のボックスによって例示されているように、ワイヤレス通信ネットワーク１８０８に動作可能に結合された追加の同様のデバイスが存在しうる。
【００５１】
[00055]図１０中に示されている様々なデバイスおよびネットワーク、およびここにさらに説明されるプロセスおよび方法の全てまたは一部が、ハードウェア、ファームウェア、ソフトウェア、またはそれらの任意の組み合わせを使用して、あるいはそうでない場合はそれらを含んで、インプリメントされうることが認識される。
【００５２】
[00056]このことから、限定ではなく例として、第２のデバイス１８０４は、バス１８２８を通じてメモリ１８２２に動作可能に結合された少なくとも１つの処理ユニット１８２０を含みうる。
【００５３】
[00057]処理ユニット１８２０は、データ計算プロシージャまたはプロセスの少なくとも一部分を遂行するように構成可能である１つまたは複数の回路を表す。限定ではなく例として、処理ユニット１８２０は、１つまたは複数のプロセッサ、コントローラ、マイクロプロセッサ、マイクロコントローラ、特定用途向け集積回路、デジタルシグナルプロセッサ、プログラマブルロジックデバイス、フィールドプログラマブルゲートアレイ、および同様のもの、またはそれらの任意の組み合わせを含みうる。
【００５４】
[00058]メモリ１８２２は、任意のデータ記憶メカニズムを表す。メモリ１８２２は、例えば、プライマリメモリ１８２４またはセカンダリメモリ１８２６を含みうる。プライマリメモリ１８２４は、例えば、ランダムアクセスメモリ、読取専用メモリ、等を含みうる。処理ユニット１８２０とは別個であるとしてこの例中では例示されているが、プライマリメモリ１８２４の全てまたは一部は、処理ユニット１８２０内で提供されうるか、またはそうない場合は処理ユニット１８２０とコロケート／結合されうることが理解されるべきである。特定のインプリメンテーションでは、メモリ１８２２および処理ユニット１８２０は、図２〜８と関連して上述されたプロセスの１つまたは複数の態様を実行するように構成されうる。
【００５５】
[00059]セカンダリメモリ１８２６は、例えば、プライマリメモリと同じまたは同様のタイプのメモリ、あるいは、例えば、ディスクドライブ、光ディスクドライブ、テープドライブ、ソリッドステートメモリドライブ、等のような１つまたは複数のデータ記憶デバイスまたはシステムを含みうる。ある特定のインプリメンテーションでは、セカンダリメモリ１８２６は、コンピュータ可読媒体１８４０を動作可能に受け入れうるか、またはそうでない場合はコンピュータ可読媒体１８４０に結合するように構成可能でありうる。コンピュータ可読媒体１８４０は、例えば、システム１８００中のデバイスのうちの１つまたは複数のための、アクセス可能なデータ、コード、または命令を搬送または作成することができる任意の非一時的媒体を含みうる。コンピュータ可読媒体１８４０はまた、記憶媒体と呼ばれうる。
【００５６】
[00060]第２のデバイス１８０４は、例えば、少なくともアンテナ１８０８を通じた第２のデバイス１８０４のワイヤレス通信ネットワークへの動作可能な結合を提供するか、またはそうでない場合はサポートする通信インターフェース１８３０を含みうる。限定ではなく例として、通信インターフェース１８３０は、ネットワークインターフェースデバイスまたはカード、モデム、ルータ、スイッチ、トランシーバデバイス、および同様のものを含みうる。他の代替のインプリメンテーションでは、通信インターフェース１８３０は、ワイヤード／ＬＡＮインターフェース、ワイヤレスＬＡＮインターフェース（例えば、ＩＥＥＥ規格８０２．１１ワイヤレスインターフェース）および／またはワイドエリアネットワーク（ＷＡＮ）エアインターフェースを備えうる。あるインプリメンテーションでは、通信インターフェース１８３０は、通信ネットワーク中で用いられる物理的送信媒体のような物理的送信媒体中に信号を備える（ビット、バイト、値、パラメータ、フィールド、等のようなコンポーネントを含む）フレームまたはメッセージを送信または受信しうる。
【００５７】
[00061]特定のインプリメンテーションでは、通信インターフェース１８３０と組み合わされたアンテナ１８０８は、図２〜８中に例示されているように、信号の送信および受信をインプリメントするために使用されうる。
【００５８】
[00062]１つの特定のインプリメンテーションでは、ＦＴＭ測定要求メッセージに応答するＡＣＫメッセージの送信は、処理ユニット１８３０からの開始または命令なしに通信インターフェース１８３０において遂行されうる。
【００５９】
[00063]第２のデバイス１８０４は、例えば、入力／出力デバイス１８３２を含みうる。入力／出力デバイス１８３２は、人間または機械の入力を受け付けるか、またはそうでない場合は導入するように構成可能でありうる１つまたは複数のデバイスあるいは特徴、もしくは人間または機械の出力を配信するか、またはそうでない場合は提供するように構成可能でありうる１つまたは複数のデバイスあるいは特徴を表す。限定ではなく例として、入力／出力デバイス１８３２は、動作的に構成されたディスプレイ、スピーカ、キーボード、マウス、トラックボール、タッチスクリーン、データポート、等を含みうる。
【００６０】
[00064]特定の実施形態では、第１のワイヤレストランシーバデバイスにおける方法は、第２のワイヤレストランシーバデバイスによって送信された第１のファインタイミング測定（ＦＴＭ）メッセージの受信を示す第１の確認応答メッセージを送信することと、第２のワイヤレストランシーバから第２のＦＴＭメッセージを受信することとを備え、第２のＦＴＭメッセージは、第２のワイヤレストランシーバデバイスにおける第１の確認応答メッセージの認証された受信の時間に少なくとも部分的に基づく１つまたは複数のパラメータを備える。特定のインプリメンテーションでは、方法はさらに、第２のワイヤレストランシーバデバイスが少なくとも第１のＦＴＭメッセージの受信を確認応答するメッセージを認証することを要求する１つまたは複数のパラメータを備えるＦＴＭ要求メッセージを送信することを備える。例えば、第２のワイヤレストランシーバデバイスが少なくとも第１のＦＴＭメッセージの受信を確認応答するメッセージを認証することを要求する１つまたは複数のパラメータは、ＦＴＭ要求メッセージのトリガフィールド中に１つまたは複数の値を備える。別のインプリメンテーションでは、第１のＦＴＭメッセージは、第１のトークンを備えるＦＴＭ要求メッセージの受信に応答して第２のワイヤレストランシーバデバイスによって送信され、ＦＴＭ要求メッセージは、第１のワイヤレストランシーバデバイスから送信され、第１のＦＴＭメッセージは、第２のトークンを備え、第１の確認応答メッセージは、第３のトークンを備え、方法はさらに、第２のワイヤレストランシーバデバイスから送信された第２のＦＴＭメッセージを受信することを備え、第２のＦＴＭメッセージは、第２のワイヤレストランシーバデバイスにおける第２の確認応答メッセージの認証された受信の時間に少なくとも部分的に基づく１つまたは複数のパラメータを備え、第２の確認応答メッセージは、第３のトークンの、第１のトークンと第２のトークンとの関数として第２のワイヤレストランシーバデバイスにおいて計算された値に対する比較に少なくとも部分的に基づいて第２のワイヤレストランシーバデバイスにおいて認証される。別のインプリメンテーションでは、第２のＦＴＭメッセージは、第４のトークンを備え、方法はさらに、第２のワイヤレストランシーバデバイスによって送信された第２のＦＴＭメッセージの受信を示す第２の確認応答メッセージを送信することと、第２の確認応答メッセージは、第５のトークンを備え、第２のワイヤレストランシーバデバイスにおける第２の確認応答メッセージの認証された受信の時間に少なくとも部分的に基づく１つまたは複数のパラメータを備える、第２のワイヤレストランシーバデバイスから送信された第３のＦＴＭメッセージを受信することとを備え、第２の確認応答メッセージは、第５のトークンの、第１のトークンと第４のトークンとの関数として計算された値に対する比較に少なくとも部分的に基づいて第２のワイヤレストランシーバデバイスにおいて認証される。別の特定のインプリメンテーションでは、第１の確認応答メッセージは、第１のワイヤレストランシーバデバイスにおける第１のＦＴＭメッセージの到着時間と、第１の確認応答メッセージ��第１のワイヤレストランシーバデバイスから送信された時間とを示す１つまたは複数のパラメータを備え、第１の確認応答メッセージは、第１の確認応答メッセージの到着時間の、第１のＦＴＭメッセージが第２のワイヤレストランシーバデバイスにおいて受信された時間と、第１の確認応答メッセージが第２のワイヤレストランシーバデバイスから送信された時間とを示す１つまたは複数のパラメータに少なくとも部分的に基づく値との比較に少なくとも部分的に基づいて第１のワイヤレストランシーバデバイスによって送信されるものとして第２のワイヤレストランシーバデバイスにおいて認証される。
【００６１】
[00065]別の実施形態は、第１のワイヤレス局（ＳＴＡ）は、通信ネットワークにメッセージを送信し、通信ネットワークからメッセージを受信するためのワイヤレストランシーバと、ワイヤレストランシーバに結合されたプロセッサとを備え、プロセッサは、第２のＳＴＡによって送信され、ワイヤレストランシーバにおいて受信された第１のファインタイミング測定（ＦＴＭ）メッセージの受信を示す第１の確認応答メッセージのワイヤレストランシーバを通じた送信を開始することと、第２のＳＴＡからワイヤレストランシーバにおいて受信された第２のＦＴＭメッセージを取得することとを行うように構成され、第２のＦＴＭメッセージは、第２のＳＴＡにおける第１の確認応答メッセージの認証された受信の時間に少なくとも部分的に基づく１つまたは複数のパラメータを備える。特定のインプリメンテーションでは、１つまたは複数のプロセッサはさらに、第２のＳＴＡが少なくとも第１のＦＴＭメッセージの受信を確認応答するメッセージを認証することを要求する１つまたは複数のパラメータを備えるＦＴＭ要求メッセージの送信を開始するように構成される。別の特定のインプリメンテーションでは、第２のＳＴＡが少なくとも第１のＦＴＭメッセージの受信を確認応答するメッセージを認証することを要求する１つまたは複数のパラメータは、ＦＴＭ要求メッセージのトリガフィールド中に１つまたは複数の値を備える。別の特定のインプリメンテーションでは、第１のＦＴＭメッセージは、第１のトークンを備えるＦＴＭ要求メッセージの受信に応答して第２のＳＴＡによって送信され、ＦＴＭ要求メッセージは、第１のＳＴＡから送信され、第１のＦＴＭメッセージは、第２のトークンを備え、第１の確認応答メッセージは、第３のトークンを備え、プロセッサはさらに、ワイヤレストランシーバにおいて受信され、第２のＳＴＡから送信された第２のＦＴＭメッセージを取得するように構成され、第２のＦＴＭメッセージは、第２のＳＴＡにおける第２の確認応答メッセージの認証された受信の時間に少なくとも部分的に基づく１つまたは複数のパラメータを備え、第２の確認応答メッセージは、第３のトークンの、第１のトークンと第２のトークンとの関数として第２のＳＴＡにおいて計算された値に対する比較に少なくとも部分的に基づいて第２のＳＴＡにおいて認証される。別の特定のインプリメンテーションでは、第２のＦＴＭメッセージは、第４のトークンを備え、プロセッサはさらに、第２のＳＴＡによって送信された第２のＦＴＭメッセージの受信を示す第２の確認応答メッセージのワイヤレストランシーバを通じた送信を開始することと、第２の確認応答メッセージは、第５のトークンを備え、第２のＳＴＡにおける第２の確認応答メッセージの認証された受信の時間に少なくとも部分的に基づく１つまたは複数のパラメータを備える、ワイヤレス送信機において受信され、第２のＳＴＡから送信された第３のＦＴＭメッセージを取得することとを行うように構成され、第２の確認応答メッセージは、第５のトークンの、第１のトークンと第４のトークンとの関数として計算された値に対する比較に少なくとも部分的に基づいて第２のＳＴＡにおいて認証される。別の特定のインプリメンテ��ションでは、第１の確認応答メッセージは、第１のＳＴＡにおける第１のＦＴＭメッセージの到着時間と、第１の確認応答メッセージが第１のＳＴＡから送信された時間とを示す１つまたは複数のパラメータを備え、第１の確認応答メッセージは、第１の確認応答メッセージの到着時間の、第１のＦＴＭメッセージが第２のＳＴＡにおいて受信された時間と、第１の確認応答メッセージが第２のＳＴＡから送信された時間とを示す１つまたは複数のパラメータに少なくとも部分的に基づく値との比較に少なくとも部分的に基づいて第１のＳＴＡによって送信されるものとして第２のＳＴＡにおいて認証される。
【００６２】
[00066]別の実施形態では、非一時的記憶媒体は、第２のワイヤレストランシーバデバイスによって送信された第１のファインタイミング測定（ＦＴＭ）メッセージの第１のワイヤレストランシーバデバイスにおける受信を示す第１の確認応答メッセージの送信を開始することと、第２のワイヤレストランシーバから第１のワイヤレストランシーバデバイスにおいて受信された第２のＦＴＭメッセージを取得することとを行うように第１のワイヤレストランシーバデバイスのプロセッサによって実行可能である記憶されたコンピュータ可読命令を備え、第２のＦＴＭメッセージは、第２のワイヤレストランシーバデバイスにおける第１の確認応答メッセージの認証された受信の時間に少なくとも部分的に基づく１つまたは複数のパラメータを備える。特定のインプリメンテーションでは、命令はさらに、第２のワイヤレストランシーバデバイスが少なくとも第１のＦＴＭメッセージの受信を確認応答するメッセージを認証することを要求する１つまたは複数のパラメータを備えるＦＴＭ要求メッセージの送信を開始するようにプロセッサによって実行可能である。別の特定のインプリメンテーションでは、第２のワイヤレストランシーバデバイスが少なくとも第１のＦＴＭメッセージの受信を確認応答するメッセージを認証することを要求する１つまたは複数のパラメータは、ＦＴＭ要求メッセージのトリガフィールド中に１つまたは複数の値を備える。別の特定のインプリメンテーションでは、第１のＦＴＭメッセージは、第１のトークンを備えるＦＴＭ要求メッセージの受信に応答して第２のワイヤレストランシーバデバイスによって送信され、ＦＴＭ要求メッセージは、第１のワイヤレストランシーバデバイスから送信され、第１のＦＴＭメッセージは、第２のトークンを備え、第１の確認応答メッセージは、第３のトークンを備え、命令はさらに、第１のワイヤレストランシーバデバイスにおいて受信され、第２のワイヤレストランシーバデバイスから送信された第２のＦＴＭメッセージを取得するようにプロセッサによって実行可能であり、第２のＦＴＭメッセージは、第２のワイヤレストランシーバデバイスにおける第２の確認応答メッセージの認証された受信の時間に少なくとも部分的に基づく１つまたは複数のパラメータを備え、第２の確認応答メッセージは、第３のトークンの、第１のトークンと第２のトークンとの関数として第２のワイヤレストランシーバデバイスにおいて計算された値に対する比較に少なくとも部分的に基づいて第２のワイヤレストランシーバデバイスにおいて認証される。例えば、第２のＦＴＭメッセージは、第４のトークンを備え、命令はさらに、第２のワイヤレストランシーバデバイスによって送信された第２のＦＴＭメッセージの受信を示す第２の確認応答メッセージの送信を開始することと、第２の確認応答メッセージは、第５のトークンを備え、第２のワイヤレストランシーバデバイスにおける第２の確認応答メッセージの認証された受信の時間に少なくとも部分的に基づく１つまたは複数のパラメータを備える、第１のワイヤレストランシーバデバイスにおいて受信され、第２のワイヤレストランシーバデバイスから送信された第３のＦＴＭメッセージを取得することとを行うよ��にプロセッサによって実行可能であり、第２の確認応答メッセージは、第５のトークンの、第１のトークンと第４のトークンとの関数として計算された値に対する比較に少なくとも部分的に基づいて第２のワイヤレストランシーバデバイスにおいて認証される。別の特定のインプリメンテーションでは、第１の確認応答メッセージは、第１のワイヤレストランシーバデバイスにおける第１のＦＴＭメッセージの到着時間と、第１の確認応答メッセージが第１のワイヤレストランシーバデバイスから送信された時間とを示す１つまたは複数のパラメータを備え、第１の確認応答メッセージは、第１の確認応答メッセージの到着時間の、第１のＦＴＭメッセージが第２のワイヤレストランシーバデバイスにおいて受信された時間と、第１の確認応答メッセージが第２のワイヤレストランシーバデバイスから送信された時間とを示す１つまたは複数のパラメータに少なくとも部分的に基づく値との比較に少なくとも部分的に基づいて第１のワイヤレストランシーバデバイスによって送信されるものとして第２のワイヤレストランシーバデバイスにおいて認証される。
【００６３】
[00067]別の実施形態では、第１のワイヤレストランシーバデバイスは、第２のワイヤレストランシーバデバイスによって送信された第１のファインタイミング測定（ＦＴＭ）メッセージの受信を示す第１の確認応答メッセージを送信するための手段と、第２のワイヤレストランシーバから第２のＦＴＭメッセージを受信するための手段とを備え、第２のＦＴＭメッセージは、第２のワイヤレストランシーバデバイスにおける第１の確認応答メッセージの認証された受信の時間に少なくとも部分的に基づく１つまたは複数のパラメータを備える。１つのインプリメンテーションでは、第１のワイヤレストランシーバデバイスはさらに、第２のワイヤレストランシーバデバイスが少なくとも第１のＦＴＭメッセージの受信を確認応答するメッセージを認証することを要求する１つまたは複数のパラメータを備えるＦＴＭ要求メッセージを送信するための手段を備える。別のインプリメンテーションでは、第２のワイヤレストランシーバデバイスが少なくとも第１のＦＴＭメッセージの受信を確認応答するメッセージを認証することを要求する１つまたは複数のパラメータは、ＦＴＭ要求メッセージのトリガフィールド中に１つまたは複数の値を備える。別の特定のインプリメンテーションでは、第１のＦＴＭメッセージは、第１のトークンを備えるＦＴＭ要求メッセージの受信に応答して第２のワイヤレストランシーバデバイスによって送信され、ＦＴＭ要求メッセージは、第１のワイヤレストランシーバデバイスから送信され、第１のＦＴＭメッセージは、第２のトークンを備え、第１の確認応答メッセージは、第３のトークンを備え、第２のワイヤレストランシーバデバイスから送信された第２のＦＴＭメッセージを受信するための手段をさらに備え、第２のＦＴＭメッセージは、第２のワイヤレストランシーバデバイスにおける第２の確認応答メッセージの認証された受信の時間に少なくとも部分的に基づく１つまたは複数のパラメータを備え、第２の確認応答メッセージは、第３のトークンの、第１のトークンと第２のトークンとの関数として第２のワイヤレストランシーバデバイスにおいて計算された値に対する比較に少なくとも部分的に基づいて第２のワイヤレストランシーバデバイスにおいて認証される。別のインプリメンテーションでは、第２のＦＴＭメッセージは、第４のトークンを備え、第１のワイヤレストランシーバデバイスはさらに、第２のワイヤレストランシーバデバイスによって送信された第２のＦＴＭメッセージの受信を示す第２の確認応答メッセージを送信するための手段と、第２の確認応答メッセージは、第５のトークンを備え、第２のワイヤレストランシーバデバイスにおける第２の確認応答メッセージの認証された受信の時間に少なくとも部分的に基づく１つまたは複数のパラメータを備える、第２のワイヤレストランシーバデバイスから送信された第３のＦＴＭメッセージを受信するための手段とを備え、第２の確認応答メッセージは、第５のトークンの、第１のトークンと第４のトークンとの関数として計算された値に対する比較に少なくとも部分的に基づいて第２のワイヤレストランシーバデバイスにおいて認証される。特定のインプリメンテーションでは、第１の確認応答メッセージは、��１のワイヤレストランシーバデバイスにおける第１のＦＴＭメッセージの到着時間と、第１の確認応答メッセージが第１のワイヤレストランシーバデバイスから送信された時間とを示す１つまたは複数のパラメータを備え、第１の確認応答メッセージは、第１の確認応答メッセージの到着時間の、第１のＦＴＭメッセージが第２のワイヤレストランシーバデバイスにおいて受信された時間と、第１の確認応答メッセージが第２のワイヤレストランシーバデバイスから送信された時間とを示す１つまたは複数のパラメータに少なくとも部分的に基づく値との比較に少なくとも部分的に基づいて第１のワイヤレストランシーバデバイスによって送信されるものとして第２のワイヤレストランシーバデバイスにおいて認証される。
【００６４】
[00068]ここに使用される場合、「アクセスポイント」という用語は、例えば、ワイヤレスローカルエリアネットワークのようなワイヤレス通信システム中での通信を容易にするために使用されるあらゆるワイヤレス通信局および／またはデバイスを含むことを意図されるが、特許請求される主題の範囲はこの点において限定されない。別の態様では、アクセスポイントは、例えば、ワイヤレスローカルエリアネットワーク（ＷＬＡＮ）アクセスポイントを備えうる。そのようなＷＬＡＮは、ある態様ではＩＥＥＥ規格８０２．１１の１つまたは複数のバージョンと互換性のあるおよび／または準拠したネットワークを備えうるが、特許請求される主題の範囲はこの点において限定されない。ＷＬＡＮアクセスポイントは、例えば、１つまたは複数のモバイルデバイスとインターネットのようなネットワークとの間での通信を提供しうる。
【００６５】
[00069]ここに使用される場合、「モバイルデバイス」という用語は、変化する位置ロケーションをその時々に有しうるデバイスを指す。位置ロケーションにおける変化は、ほんの数例として、方向、距離、方位、等に対する変化を備えうる。特定の例では、モバイルデバイスは、セルラ電話、ワイヤレス通信デバイス、ユーザ機器、ラップトップコンピュータ、他のパーソナル通信システム（ＰＣＳ）デバイス、携帯情報端末（ＰＤＡ）、パーソナルオーディオデバイス（ＰＡＤ）、ポータブル航法デバイス、および／または他のポータブル通信デバイスを備えうる。モバイルデバイスはまた、機械可読命令によって制御される機能を遂行するように適合されたコンピューティングプラットフォームおよび／またはプロセッサを備えうる。
【００６６】
[00070]ここに説明された方法は、特定の例にしたがったアプリケーションに依存して様々な手段によってインプリメントされうる。例えば、そのような方法は、ハードウェア、ファームウェア、ソフトウェア、またはそれらの組み合わせにおいてインプリメントされうる。ハードウェアインプリメンテーションでは、例えば、処理ユニットは、１つまたは複数の特定用途向け集積回路（「ＡＳＩＣ」）、デジタルシグナルプロセッサ（「ＤＳＰ」）、デジタル信号処理デバイス（「ＤＳＰＤ」）、プログラマブルロジックデバイス（「ＰＬＤ」）、フィールドプログラマブルゲートアレイ（「ＦＰＧＡ」）、プロセッサ、コントローラ、マイクロコントローラ、マイクロプロセッサ、電子デバイス、ここに説明された機能を遂行するように設計された他のデバイスユニット、またはそれらの組み合わせ内においてインプリメントされうる。
【００６７】
[00071]アルゴリズム記述および／または記号表現は、信号処理および／または関連する技術における当業者によって、彼らの研究の内容（the substance of their work）を他の当業者に伝達するために使用される技法の例である。アルゴリズムはここで、および概して、所望される結果につながる首尾一貫したシーケンス（self-consistent sequence）の動作および／または同様の信号処理であると見なされる。このコンテキストでは、動作および／または処理は、物理量の物理的操作を伴う。典型的に、ただ必ずしもではないが、そのような量は、信号測定値、テキスト、画像、ビデオ、オーディオ、等のような様々な形態のコンテンツを表す電子信号および／または状態として記憶されるか、転送されるか、組み合わされるか、比較されるか、処理されるか、またはそうでない場合は操作されることが可能である電気および／または磁気信号および／または状態の形態を取りうる。主に共通使用の理由により、そのような物理的信号および／または物理的状態をビット、バイト、値、要素、シンボル、文字、用語、番号、数字、式、メッセージ、フィールド、識別子フレーム、測定値、コンテンツおよび／または同様のものとして指すことは時に便利であることが証明されている。しかしながら、これらおよび／または同様の用語の全ては、適切な物理量と関連付けられるべきであり、単に便利なラベルに過ぎないことが理解されるべきである。そうでないと具体的に記載されない限り、先行する論述から明らかであるように、この明細書全体を通じて、「処理する」、「計算する」、「算出する」、「決定する」、「確立する」、「取得する」、「識別する」、「選択する」、「生成する」、および／または同様のもののような用語を利用する論述は、専用コンピュータおよび／または同様の専用コンピューティングおよび／またはネットワークデバイスのような特定の装置のアクションおよび／またはプロセスを指しうることが認識される。この明細書のコンテキストでは、したがって、専用コンピュータおよび／または同様の専用コンピューティングおよび／またはネットワークデバイスは、専用コンピュータおよび／または同様の専用コンピューティングおよび／またはネットワークデバイスのメモリ、レジスタ、および／または他の記憶デバイス、送信デバイス、および／またはディスプレイデバイス内の、物理的電子および／または磁気量として典型的に表される信号および／または状態を処理、操作および／または変換することが可能である。この特定の特許出願のコンテキストでは、言及されたように、「特定の装置」という用語は、それがプログラムソフトウェアからの命令に準じて特定の機能を遂行するようにプログラムされた時点で、汎用コンピュータのような汎用コンピューティングおよび／またはネットワークデバイスを含みうる。
【００６８】
[00072]いくつかの状況では、バイナリ１からバイナリ０への状態における変化またはその逆のようなメモリデバイスの動作は、例えば、物理的変換のような変換を備えうる。特定のタイプのメモリデバイスでは、そのような物理的変換は、異なる状態または物への物品（an article）の物理的変換を備えうる。例えば、それらに限定されないが、いくつかのタイプのメモリデバイスの場合、状態における変化は、電荷の蓄積および／または貯蔵あるいは貯蔵された電荷の解放を伴いうる。同様に、他のメモリデバイスでは、状態の変化は、磁気方位における変換のような物理的変化、および／または結晶性から非結晶性への、あるいはその逆のような分子構造における物理的変化および／または変換を備えうる。さらに他のメモリデバイスでは、物理的状態における変化は、重ね合わせ、もつれ、および／または同様のもののような量子力学現象を伴いえ、それは、例えば、量子ビット（キュービット）を伴いうる。前述は、メモリデバイス中でのバイナリ１からバイナリ０への状態における変化またはその逆が物理的変換のような変換を備えうる全ての例の網羅的なリストであることを意図されていない。むしろ、前述は、例示的な例として意図される。
【００６９】
[00073]ここに説明されたワイヤレス通信技法は、ワイヤレスワイドエリアネットワーク（「ＷＷＡＮ」）、ワイヤレスローカルエリアネットワーク（「ＷＬＡＮ」）、ワイヤレスパーソナルエリアネットワーク（ＷＰＡＮ）、等のような様々なワイヤレス通信ネットワークと関連しうる。このコンテキストでは、「ワイヤレス通信ネットワーク」は、１つまたは複数のワイヤレス通信リンクを通じて互いと通信することが可能である複数のデバイスまたはノードを備える。図１中に示されているように、例えば、ワイヤレス通信ネットワークは、モバイルデバイス１００ａ、１００ｂ、１１５ａおよび１１５ｂから２つ以上のデバイスを備えうる。「ネットワーク」および「システム」という用語は、ここでは交換可能に使用されうる。ＷＷＡＮは、符号分割多元接続（「ＣＤＭＡ」）ネットワーク、時分割多元接続（「ＴＤＭＡ」）ネットワーク、周波数分割多元接続（「ＦＤＭＡ」）ネットワーク、直交周波数分割多元接続（「ＯＦＤＭＡ」）ネットワーク、シングルキャリア周波数分割多元接続（「ＳＣ−ＦＤＭＡ」）ネットワーク、または上記ネットワークの任意の組み合わせ、等でありうる。ＣＤＭＡネットワークは、ごくわずかの無線技術を挙げると、ｃｄｍａ２０００、ワイドバンドＣＤＭＡ（「Ｗ−ＣＤＭＡ（登録商標）」）のような１つまたは複数の無線アクセス技術（「ＲＡＴ」）をインプリメントしうる。ここで、ｃｄｍａ２０００は、ＩＳ−９５、ＩＳ−２０００、およびＩＳ−８５６規格にしたがってインプリメントされた技術を含みうる。ＴＤＭＡネットワークは、モバイル通信のためのグローバルシステム（「ＧＳＭ」）、デジタルアドバンスドモバイル電話システム（「Ｄ−ＡＭＰＳ」）、または何らかの他のＲＡＴをインプリメントしうる。ＧＳＭおよびＷ−ＣＤＭＡは、「第３世代パートナーシッププロジェクト」（「３ＧＰＰ（登録商標）」）という名称の団体からの文書中に説明されている。Ｃｄｍａ２０００は、「第３世代パートナーシッププロジェクト２」（「３ＧＰＰ２」）という名称の団体からの文書中に説明されている。３ＧＰＰおよび３ＧＰＰ２の文書は、公的に入手可能である。４Ｇロングタームエボリューション（「ＬＴＥ」）通信ネットワークはまた、ある態様では、特許請求される主題にしたがってインプリメントされうる。例えば、ＷＬＡＮは、ＩＥＥＥ８０２．１１ｘネットワークを備え、ＷＰＡＮは、Ｂｌｕｅｔｏｏｔｈネットワーク、ＩＥＥＥ８０２．１５ｘを備えうる。ここに説明されたワイヤレス通信インプリメンテーションはまた、ＷＷＡＮ、ＷＬＡＮまたはＷＰＡＮの任意の組み合わせと関連して使用されうる。
【００７０】
[00074]別の態様では、前述されたように、ワイヤレス送信機またはアクセスポイントは、フェムトセルを備えうるもので、セルラ電話サービスをビジネスまたは自宅に拡張するために利用される。そのようなインプリメンテーションでは、１つまたは複数のモバイルデバイスは、例えば、符号分割多元接続（「ＣＤＭＡ」）セルラ通信プロトコルを介してフェムトセルと通信し、フェムトセルは、インターネットのような別のブロードバンドネットワークを経由してより大きいセルラ電気通信ネットワークへのモバイルデバイスアクセスを提供しうる。
【００７１】
[00075]ここに説明された技法は、ＧＮＳＳの組み合わせおよび／またはいくつかのＧＮＳＳのうちのいずれか１つを含むＳＰＳを用いて使用されうる。さらに、そのような技法は、「シュードライト（pseudolites）」として機能する地上送信機、またはＳＶとそのような地上送信機との組み合わせを利用する測位システムを用いて使用されうる。地上送信機は、例えば、ＰＮコードまたは（例えば、ＧＰＳまたはＣＤＭＡセルラ信号と同様の）他のレンジングコード(ranging code)をブロードキャストする地上ベースの送信機を含みうる。そのような送信機は、リモート受信機による識別を許可するために、一意のＰＮコードを割り当てられうる。地上送信機は、例えば、トンネル、鉱山、ビルディング、都市の谷間または他の囲まれたエリア中のような、軌道を周回するＳＶからのＳＰＳ信号が利用できないことがありうる状況においてＳＰＳを増強するのに有用でありうる。シュードライトの別のインプリメンテーションは、無線ビーコンとして知られている。「ＳＶ」という用語は、ここに使用される場合、シュードライト、シュードライトの同等物、およびことによると他のものとして機能する地上送信機を含むことを意図される。「ＳＰＳ信号」および／または「ＳＶ信号」という用語は、ここに使用される場合、シュードライトまたはシュードライトの同等物として機能する地上送信機を含む地上送信機からのＳＰＳのような信号を含むことを意図される。
【００７２】
[00076]同様に、このコンテキストでは、「結合された」、「接続された」という用語および／または同様の用語は、包括的に使用される。これらの用語は、類義語として意図されないことが理解されるべきである。むしろ、「接続された」は、２つ以上のコンポーネントが、例えば、電気的を含む直接の物理的な接触状態にあることを示すように包括的に使用される一方で、「結合された」は、２つ以上のコンポーネントが潜在的に、電気的を含む直接の物理的な接触状態にあることを意味するように包括的に使用されるが、しかしながら、「結合された」はまた、２つ以上のコンポーネントが必ずしも直接の接触状態にないものの、それにもかかわらず協働および／または相互作用することが可能であることもまた意味するように包括的に使用される。結合されたという用語はまた、例えば、適切なコンテキストにおいて、間接的に接続されたことを意味するように包括的に理解される。
【００７３】
[00077]「および」、「または」、「および／または」という用語および／または同様の用語は、ここに使用される場合、そのような用語が使用される特定のコンテキストに少なくとも部分的に依存することもまた予期される多様な意味を含む。典型的に、「または」がＡ、Ｂ、またはＣのようなリストを関連付けるために使用される場合、包括的な意味で使用されるならＡ、Ｂ、およびＣを、ならびに排他的な意味で使用されるならＡ、Ｂ、またはＣを意味することを意図される。加えて、「１つまたは複数」という用語および／または同様の用語は、任意の特徴、構造、および／または特性を単数形で説明するために使用される、および／または複数の特徴、構造および／または特性および／またはそれらの何らかの他の組み合わせを説明するためにも使用されうる。同様に、「に基づく」という用語および／または同様の用語は、ファクタの排他的なセットを伝達することを必ずしも意図するものではないが、必ずしも明確に説明されていない追加のファクタの存在を可能にすることが理解される。当然ながら、前述の全てについて、使用および／または説明の特定のコンテキストは、引き出される推論に関する役に立つ指針を提供する。以下の説明は単に１つまたは複数の例示的な例を提供するに過ぎず、特許請求される主題はこれらの１つまたは複数の例に限定されないことに留意されたいが、しかしながら、繰り返すが、使用および／または説明の特定のコンテキストは、引き出される推論に関する役に立つ指針を提供する。
【００７４】
[00078]このコンテキストでは、ネットワークデバイスという用語は、ネットワークを介しておよび／またはその一部として通信することが可能であるあらゆるデバイスを指し、コンピューティングデバイスを備えうる。ネットワークデバイスは、例えば、ワイヤードおよび／またはワイヤレスネットワークを介して信号（例えば、信号パケットおよび／またはフレーム）を送るおよび／または受信することが可能でありうるが、それらはまた、算術および／または論理演算を遂行すること、物理メモリ状態としてメモリ中などで信号を処理および／または記憶することが可能でありうる、および／または、例えば、様々な実施形態中でサーバとして動作しうる。サーバとして動作することが可能である、またはそうでないネットワークデバイスは、例として、専用ラックマウントサーバ、デスクトップコンピュータ、ラップトップコンピュータ、セットトップボックス、タブレット、ネットブック、スマートフォン、ウェアラブルデバイス、前述のデバイスの２つ以上の特徴を組み合わせる集積デバイス、同様のもの、またはそれらの任意の組み合わせを含みうる。例えば、信号パケットおよび／またはフレームは、例えば、ワイヤレスネットワークを介して結合されたワイヤレスデバイス間を含む、サーバとクライアントデバイスおよび／または他のタイプのネットワークデバイスとの間などにおいて交換されうる。サーバ、サーバデバイス、サーバコンピューティングデバイス、サーバコンピューティングプラットフォームという用語および／または同様の用語は、交換可能に使用されることに留意されたい。同様に、クライアント、クライアントデバイス、クライアントコンピューティングデバイス、クライアントコンピューティングプラットフォームという用語および／または同様の用語もまた、交換可能に使用される。いくつかの事例では、説明を容易にするために、これらの用語は、例えば、「クライアントデバイス」または「サーバデバイス」に言及することによって単数形で使用されうるが、その説明は、適宜、１つまたは複数のクライアントデバイスおよび／または１つまたは複数のサーバデバイスを包含することを意図される。同様の路線に沿って（Along similar lines）、「データベース」への言及は、適宜、１つまたは複数のデータベースおよび／またはそれらの一部分を意味することが理解される。
【００７５】
[00079]説明を容易にするために、（ネットワーキングデバイスとも呼ばれる）ネットワークデバイスは、コンピューティングデバイスの観点から具現化および／または説明されうることが理解されるべきである。しかしながら、この説明は決して、特許請求される主題がコンピューティングデバイスおよび／またはネットワークデバイスのような一実施形態に限定されると解釈されるべきではなく、代わりに、例えば、１つまたは複数の例示的な例を含む多様なデバイスまたはそれらの組み合わせとして具現化されうることがさらに理解されるべきである。１つのインプリメンテーション、あるインプリメンテーション、一実施形態、ある実施形態、および／または同様のものに対するこの明細書全体を通じた言及は、特定のインプリメンテーションおよび／または実施形態に関連して説明された特定の特徴、構造、および／または特性が特許請求される主題の少なくとも１つのインプリメンテーションおよび／または実施形態中に含まれることを意味する。このことから、例えば、この明細書全体を通じた様々な場所におけるそのようなフレーズの出現は、同じインプリメンテーションまたは説明された任意の１つの特定のインプリメンテーションを指すことを必ずしも意図されていない。さらに、説明された特定の特徴、構造、および／または特性は、１つまたは複数のインプリメンテーションにおいて様々な方法で組み合わされることが可能であり、したがって、例えば、意図される特許請求の範囲内にあることが理解されるべきである。一般には、当然ながら、これらおよび他の問題は、コンテキストによって異なる。したがって、使用および／または説明の特定のコンテキストは、引き出される推論に関する役に立つ指針を提供する。実例的な特徴であると現在考えられているものが例示および説明されてきたが、特許請求される主題から逸脱することなしに、様々な他の修正がなされ、同等物が代用されうることが当業者によって理解されるであろう。加えて、ここに説明された中心的な概念から逸脱することなしに、特許請求される主題の教示に特定の状況を適合させるために、多くの修正がなされうる。したがって、特許請求される主題は、開示された特定の例に限定されないが、そのような特許請求される主題はまた、添付された特許請求の範囲内に含まれる全ての態様およびそれらの同等物を含みうることが意図される。
【図１】
2019513972.tif 000004
【図２】
2019513972.tif 000005
【図３】
2019513972.tif 000006
【図４Ａ】
2019513972.tif 000007
【図４Ｂ】
2019513972.tif 000008
【図５】
2019513972.tif 000009
【図６】
2019513972.tif 000010
【図７】
2019513972.tif 000011
【図８】
2019513972.tif 000012
【図９】
2019513972.tif 000013
【図１０】
2019513972.tif 000014
【国際調査報告】
2019513972.tif 000015
2019513972.tif 000016